(57)【要約】  本発明の実施例は通信方法及び通信装置を提供し、前記通信方法は、第１装置は第２装置の送信したレイヤ２プロトコルデータユニットＰＤＵを受信するステップと、前記第１装置は前記レイヤ２ＰＤＵに基づき、前記第１装置と前記第２装置の必要な接続状態を決定するステップと、を含む。該技術案では、第１装置が前記レイヤ２ＰＤＵを解析するプロセスは比較的簡単で、通信の複雑さを軽減させ、システムのオーバーヘッドを減らし、解析遅延を短縮させることができ、更に、第１装置が端末装置であるかネットワーク側装置であるかに関わらず、接続状態の切替が必要がある時に、接続状態の切替をタイムリーに実行でき、接続状態の切替効率を向上させることができる。
2019530992.tif 000002
【特許請求の範囲】
【請求項１】
第１装置が、第２装置の送信したレイヤ２プロトコルデータユニットＰＤＵを受信するステップと、
前記第１装置が、前記レイヤ２ＰＤＵに基づき、前記第１装置と前記第２装置の必要な接続状態を決定するステップと、を含むことを特徴とする通信方法。
【請求項２】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項１に記載の通信方法。
【請求項３】
前記第１装置が前記レイヤ２ＰＤＵに基づき、前記第１装置と前記第２装置の必要な接続状態を決定することは、
前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定するステップを含み、前記第１情報は前記第１装置と前記第２装置の間の後続のデータ伝送の有無を指示することに用いられることを特徴とする請求項１又は２に記載の通信方法。
【請求項４】
前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定することは、
前記第１情報が前記第１装置と前記第２装置の間の後続のデータ伝送があることを指示する場合、前記第１装置と前記第２装置が第１接続状態にある必要があると決定するステップと、
前記第１情報が前記第１装置と前記第２装置の間の後続のデータ伝送がないことを指示する場合、前記第１装置と前記第２装置が第２接続状態にある必要があると決定するステップと、を含むことを特徴とする請求項３に記載の通信方法。
【請求項５】
前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定することは、
前記レイヤ２ＰＤＵにデータパケットが含まれる場合、前記第１装置と前記第２装置が第１接続状態にある必要があると決定するステップと、
前記レイヤ２ＰＤＵにデータパケットが含まれていない場合、前記第１装置と前記第２装置が第２接続状態にある必要があると決定するステップと、を含むことを特徴とする請求項３に記載の通信方法。
【請求項６】
前記レイヤ２ＰＤＵは、前記第１装置と前記第２装置の必要な接続状態を指示するための第２情報を含み、
前記第１装置が前記レイヤ２ＰＤＵに基づき、前記第１装置と前記第２装置の必要な接続状態を決定することは、
前記第１装置が前記レイヤ２ＰＤＵに含まれる第２情報に基づき、前記第２装置と前記第２装置の必要な接続状態を決定するステップを含むことを特徴とする請求項１又は２に記載の通信方法。
【請求項７】
前記第１装置と前記第２装置は現在第１接続状態にあり、前記第１装置と前記第２装置の必要な接続状態は第２接続状態であり、
前記第１装置が前記レイヤ２ＰＤＵを受信した後、第１タイマーを起動し、又は、前記第１装置が、前記第１装置が前記第２接続状態を開始すると決定することを指示するための第３情報を前記第２装置に送信した後、第１タイマーを起動するステップと、
前記第１タイマーがタイムアウトすると、前記第１装置が前記接続状態を前記第１接続状態から前記第２接続状態に切り替えるステップと、をさらに含むことを特徴とする請求項１〜６のいずれか一項に記載の通信方法。
【請求項８】
前記レイヤ２ＰＤＵは前記第１タイマーの設定時間長さを指示するための第４情報を含み、
前記第１タイマーを起動することは、
前記第４情報に基づき、前記第１タイマーを起動するステップを含むことを特徴とする請求項７に記載の通信方法。
【請求項９】
前記レイヤ２ＰＤＵは第２装置の第２タイマーの設定時間長さの取得を要求するための第５情報を含み、
前記通信方法は、
前記第１装置が、前記第２タイマーの設定時間長さを決定するステップと、
前記第１装置が、前記第２タイマーの設定時間長さを指示するための第６情報を前記第２装置に送信するステップと、をさらに含み、
前記第１タイマーを起動することは、
前記第１装置が前記第２装置に前記第６情報を送信した後、前記第１タイマーを起動するステップ、又は、
前記第１装置が前記第２装置に前記第６情報を送信し、且つ前記第２装置の送信した、前記第２装置が前記第２接続状態を開始すると決定することを指示するための第７情報を受信した後、前記第１タイマーを起動するステップを含むことを特徴とする請求項７に記載の通信方法。
【請求項１０】
前記第１装置が第２装置の送信したレイヤ２ＰＤＵを受信した後、
前記第１装置が、前記第１装置が前記レイヤ２ＰＤＵを正確に受信することを指示するための第８情報を前記第２装置に送信するステップ、及び／又は
前記第１装置が、前記第１装置と前記第２装置の必要な接続状態を指示するための第９情報を前記第２装置に送信するステップをさらに含むことを特徴とする請求項１〜５のいずれか一項に記載の通信方法。
【請求項１１】
第２装置が、第１通信装置が第１装置と前記第２装置の必要な接続状態を決定するためのレイヤ２プロトコルデータユニットＰＤＵを生成するステップと、
前記第２装置が、前記第１装置に前記レイヤ２ＰＤＵを送信するステップと、を含むことを特徴とする通信方法。
【請求項１２】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項１１に記載の通信方法。
【請求項１３】
前記第２装置がレイヤ２ＰＤＵを生成することは、
前記第２装置が前記第１装置と前記第２装置の間で現在データパケット伝送を行っているか否か及び／又は前記第１装置と前記第２装置の間の後続のデータ伝送の有無に基づき、前記レイヤ２ＰＤＵを生成するステップを含むことを特徴とする請求項１１又は１２に記載の通信方法。
【請求項１４】
前記第２装置が前記第１装置と前記第２装置の間で現在データパケット伝送を行っているか否か及び／又は前記第１装置と前記第２装置の間の後続のデータ伝送の有無に基づき、前記レイヤ２ＰＤＵを生成することは、
前記第１装置と前記第２装置の間で現在データパケット伝送を行っている場合、前記第２装置が前記データパケットを含む前記レイヤ２ＰＤＵを生成するステップと、
前記第１装置と前記第２装置の間で現在データパケット伝送を行っていない場合、前記第２装置がデータパケットを含まない前記レイヤ２ＰＤＵを生成するステップと、
前記第１装置と前記第２装置の間の後続のデータ伝送がない場合、前記第２装置が前記第１装置と前記第２装置の間の後続のデータ伝送がないことを指示するための第１情報を含む前記レイヤ２ＰＤＵを生成するステップと、
前記第１装置と前記第２装置の間の後続のデータ伝送がある場合、前記第２装置が前記第１装置と前記第２装置の間の後続のデータ伝送があることを指示するための第１情報を含む前記レイヤ２ＰＤＵを生成するステップと、を含むことを特徴とする請求項１３に記載の通信方法。
【請求項１５】
前記第２装置が前記第１装置と前記第２装置の必要な接続状態を決定するステップをさらに含み、
前記第２装置がレイヤ２ＰＤＵを生成することは、
前記第２装置が前記第１装置と前記第２装置の必要な接続状態を指示するための第２情報を含む前記レイヤ２ＰＤＵを生成するステップを含むことを特徴とする請求項１１又は１２に記載の通信方法。
【請求項１６】
前記第１装置と前記第２装置は現在第１接続状態にあり、前記第１装置と前記第２装置の必要な接続状態は第２接続状態であり、
前記第２装置が前記第１装置に前記レイヤ２ＰＤＵを送信した後、第２タイマーを起動し、又は、前記第２装置が前記第１装置の送信した、前記第１装置が前記第２接続状態を開始すると決定することを指示するための第３情報を受信した後、第２タイマーを起動するステップと、
前記第２タイマーがタイムアウトすると、前記第２装置が前記接続状態を前記第１接続状態から前記第２接続状態に切り替えるステップと、をさらに含むことを特徴とする請求項１１〜１５のいずれか一項に記載の方法。
【請求項１７】
前記第２装置がレイヤ２ＰＤＵを生成することは、
前記第２装置が前記第１装置の第１タイマーの設定時間長さを指示するための第４情報を含む前記レイヤ２ＰＤＵを生成し、それにより前記第１装置が前記第４情報に基づき前記第１タイマーを起動するステップを含むことを特徴とする請求項１６に記載の通信方法。
【請求項１８】
前記第２装置がレイヤ２ＰＤＵを生成することは、
前記第２装置が前記第２タイマーの設定時間長さの取得を要求するための第５情報を含む前記レイヤ２ＰＤＵを生成するステップを含み、
前記通信方法は、
前記第２装置が前記第１装置の送信した、前記第２タイマーの設定時間長さを指示するための第６情報を受信するステップをさらに含み、
前記第２タイマーを起動することは、
前記第２装置が前記第１装置の送信した前記第６情報を受信した後、前記第６情報に基づき前記第２タイマーを起動するステップ、又は
前記第２装置が前記第１装置の送信した前記第６情報を受信し、且つ前記第２装置が前記第２接続状態を開始すると決定することを指示するための第７情報を前記第１装置に送信した後、前記第６情報に基づき前記第２タイマーを起動するステップを含む請求項１６に記載の通信方法。
【請求項１９】
前記第２装置が前記第１装置に前記レイヤ２ＰＤＵを送信した後、
前記第２装置が前記第１装置の送信した、前記第１装置が前記レイヤ２ＰＤＵを正確に受信することを指示するための第８情報を受信するステップ、又は、
前記第２装置が前記第１装置の送信した、前記第１装置と前記第２装置の必要な接続状態を指示するための第９情報を受信するステップをさらに含むことを特徴とする請求項１１〜１４のいずれか一項に記載の通信方法。
【請求項２０】
タイマーを起動するステップと、
前記タイマーがタイムアウトすると、第１装置と第２装置の接続状態を第１接続状態から第２接続状態に切り替えるステップと、を含むことを特徴とする通信方法。
【請求項２１】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項２０に記載の通信方法。
【請求項２２】
前記タイマーを起動することは、
前記第１装置が前記第２装置にデータパケット又はシグナリングを送信した後、前記タイマーを起動するステップ、又は
前記第１装置が前記第２装置の送信した前記データパケット又は前記シグナリングの第１情報を受信した後、前記タイマーを起動し、前記第１情報が、前記第２装置が前記データパケット又は前記シグナリングを正確に受信することを指示することに用いられるステップを含むことを特徴とする請求項２０又は２１に記載の通信方法。
【請求項２３】
前記タイマーを起動することは、
前記第２装置が前記第１装置の送信したデータパケット又はシグナリングを受信した後、前記タイマーを起動するステップ、又は
前記第２装置が前記データパケット又は前記シグナリングに対応する第２情報を前記第１装置に送信した後、前記タイマーを起動し、前記第２情報が、前記第１装置が前記データパケット又は前記シグナリングを正確に受信することを指示することに用いられるステップ、又は
前記第１装置と第２装置の間の無線ベアラの確立が完了した後、前記タイマーを起動するステップを含むことを特徴とする請求項２０又は２１に記載の通信方法。
【請求項２４】
前記第１装置と前記第２装置の間のすべての無線ベアラは単一のタイマーに対応し、前記第１装置と第２装置の間の無線ベアラの確立が完了した後、タイマーを起動することは、
前記第１装置と第２装置の間のすべての無線ベアラの確立が完了した後、前記タイマーを起動するステップを含むことを特徴とする請求項２３に記載の通信方法。
【請求項２５】
前記第１装置と前記第２装置の間のすべての無線ベアラの各無線ベアラは１つのタイマーに対応し、
前記第１装置と第２装置の間の無線ベアラの確立が完了した後、タイマーを起動することは、
前記第１装置と前記第２装置の間の各無線ベアラの確立が完了した後、対応するタイマーを起動するステップを含み、
前記タイマーの設定した時間がタイムアウトすると、前記第１装置と前記第２装置の接続状態を第１接続状態から第２接続状態に切り替えることは、
前記すべての無線ベアラに対応するすべてのタイマーがタイムアウトすると、前記第１装置と前記第２装置の接続状態を第１接続状態から第２接続状態に切り替えるステップを含むことを特徴とする請求項２３に記載の通信方法。
【請求項２６】
第１装置である通信装置であって、
第２装置の送信したレイヤ２プロトコルデータユニットＰＤＵを受信する受信モジュールと、
前記レイヤ２ＰＤＵに基づき、前記第１装置と前記第２装置の必要な接続状態を決定する決定モジュールと、を備えることを特徴とする通信装置。
【請求項２７】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項２６に記載の通信装置。
【請求項２８】
前記決定モジュールは具体的には、前記レイヤ２ＰＤＵにデータパケットが含まれるか否か又は前記レイヤ２ＰＤＵに含まれる第１情報に基づき、前記第１装置と前記第２装置の必要な接続状態を決定し、前記第１情報は前記第１装置と前記第２装置の間の後続のデータ伝送の有無を指示することに用いられることを特徴とする請求項２６又は２７に記載の通信装置。
【請求項２９】
前記決定モジュールは具体的には、
前記第１情報が前記第１装置と前記第２装置の間の後続のデータ伝送があることを指示する場合、前記第１装置と前記第２装置が第１接続状態にある必要があると決定し、
前記第１情報が前記第１装置と前記第２装置の間の後続のデータ伝送がないことを指示する場合、前記第１装置と前記第２装置が第２接続状態にある必要があると決定することを特徴とする請求項２８に記載の通信装置。
【請求項３０】
前記決定モジュールは具体的には、
前記レイヤ２ＰＤＵにデータパケットが含まれる場合、前記第１装置と前記第２装置が第１接続状態にある必要があると決定し、
前記レイヤ２ＰＤＵにデータパケットが含まれていない場合、前記第１装置と前記第２装置が第２接続状態にある必要があると決定することを特徴とする請求項２８に記載の通信装置。
【請求項３１】
前記レイヤ２ＰＤＵは、前記第１装置と前記第２装置の必要な接続状態を指示するための第２情報を含み、
前記決定モジュールは具体的には、前記レイヤ２ＰＤＵに含まれる第２情報に基づき、前記第２装置と前記第２装置の必要な接続状態を決定することを特徴とする請求項２６又は２７に記載の通信装置。
【請求項３２】
前記第１装置と前記第２装置は現在第１接続状態にあり、前記第１装置と前記第２装置の必要な接続状態は第２接続状態であり、
前記受信モジュールが前記レイヤ２ＰＤＵを受信した後、第１タイマーを起動する処理モジュールをさらに備え、又は
前記第２装置に第３情報を送信する送信モジュールをさらに備え、
前記処理モジュールは前記送信モジュールが第３情報を送信した後、第１タイマーを起動し、前記第３情報は前記第１装置が前記第２接続状態を開始すると決定することを指示することに用いられ、
前記処理モジュールはさらに、前記第１タイマーがタイムアウトすると、前記接続状態を前記第１接続状態から前記第２接続状態に切り替えることを特徴とする請求項２６〜３１のいずれか一項に記載の通信装置。
【請求項３３】
前記レイヤ２ＰＤＵは前記第１タイマーの設定時間長さを指示するための第４情報を含み、
前記処理モジュールは具体的には、前記第４情報に基づき、前記第１タイマーを起動することを特徴とする請求項３２に記載の通信装置。
【請求項３４】
前記レイヤ２ＰＤＵは第２装置の第２タイマーの設定時間長さの取得を要求するための第５情報を含み、
前記決定モジュールはさらに、前記第２タイマーの設定時間長さを決定し、
前記送信モジュールはさらに、前記第２タイマーの設定時間長さを指示するための第６情報を前記第２装置に送信し、
前記処理モジュールは具体的には、
前記送信モジュールが前記第６情報を送信した後、前記第１タイマーを起動し、又は
前記送信モジュールが前記第６情報を送信し、且つ前記受信モジュールが前記第２装置の送信した第７情報を受信した後、前記第１タイマーを起動し、前記第７情報は前記第２装置が前記第２接続状態を開始すると決定することを指示することに用いられることを特徴とする請求項３２に記載の通信装置。
【請求項３５】
送信モジュールをさらに備え、前記送信モジュールは、
前記第１装置が前記レイヤ２ＰＤＵを正確に受信することを指示するための第８情報を前記第２装置に送信し、及び／又は
前記第１装置と前記第２装置の必要な接続状態を指示するための第９情報を前記第２装置に送信することを特徴とする請求項２６〜３０のいずれか一項に記載の通信装置。
【請求項３６】
第２装置である通信装置であって、
第１通信装置が第１装置と前記第２装置の必要な接続状態を決定するためのレイヤ２プロトコルデータユニットＰＤＵを生成する生成モジュールと、
前記第１装置に前記レイヤ２ＰＤＵを送信する送信モジュールと、を備えることを特徴とする通信装置。
【請求項３７】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項３６に記載の通信装置。
【請求項３８】
前記生成モジュールは具体的には、第１装置と第２装置の間で現在データパケット伝送を行っているか否か及び／又は第１装置と第２装置の間の後続のデータ伝送の有無に基づき、前記レイヤ２ＰＤＵを生成することを特徴とする請求項３６又は３７に記載の通信装置。
【請求項３９】
前記生成モジュールは具体的には、
前記第１装置と前記第２装置の間で現在データパケット伝送を行っている場合、前記データパケットを含む前記レイヤ２ＰＤＵを生成し、
前記第１装置と前記第２装置の間で現在データパケット伝送を行っていない場合、データパケットを含まない前記レイヤ２ＰＤＵを生成し、
前記第１装置と前記第２装置の間の後続のデータ伝送がない場合、前記第１装置と前記第２装置の間の後続のデータ伝送がないことを指示するための第１情報を含む前記レイヤ２ＰＤＵを生成し、
前記第１装置と前記第２装置の間の後続のデータ伝送がある場合、前記第１装置と前記第２装置の間の後続のデータ伝送があることを指示するための第１情報を含む前記レイヤ２ＰＤＵを生成することを特徴とする請求項３８に記載の通信装置。
【請求項４０】
前記第１装置と前記第２装置の必要な接続状態を決定する決定モジュールをさらに備え、
前記生成モジュールは具体的には、前記第１装置と前記第２装置の必要な接続状態を指示するための第２情報を含む前記レイヤ２ＰＤＵを生成することを特徴とする請求項３６又は３７に記載の通信装置。
【請求項４１】
前記第１装置と前記第２装置は現在第１接続状態にあり、前記第１装置と前記第２装置の必要な接続状態は第２接続状態であり、
前記送信モジュールが前記レイヤ２ＰＤＵを送信した後、第２タイマーを起動する処理モジュールをさらに備え、又は
前記第１装置の送信した第３情報を受信する受信モジュールをさらに備え、
前記処理モジュールは前記受信モジュールが前記第３情報を受信した後、第２タイマーを起動し、前記第３情報は前記第１装置が前記第２接続状態を開始すると決定することを指示することに用いられ、
前記処理モジュールはさらに、前記第２タイマーがタイムアウトすると、前記接続状態を前記第１接続状態から前記第２接続状態に切り替えることを特徴とする請求項３６〜４０のいずれか一項に記載の通信装置。
【請求項４２】
前記生成モジュールは具体的には、前記第１装置の第１タイマーの設定時間長さを指示するための第４情報を含む前記レイヤ２ＰＤＵを生成し、それにより前記第１装置は前記第４情報に基づき前記第１タイマーを起動することを特徴とする請求項４１に記載の通信装置。
【請求項４３】
前記生成モジュールは具体的には、前記第２タイマーの設定時間長さの取得を要求するための第５情報を含む前記レイヤ２ＰＤＵを生成し、
前記受信モジュールはさらに、前記第１装置の送信した、前記第２タイマーの設定時間長さを指示するための第６情報を受信し、
前記処理モジュールは具体的には、
前記受信モジュールが前記第６情報を受信した後、前記第６情報に基づき前記第２タイマーを起動し、又は
前記受信モジュールが前記第６情報を受信し、且つ前記送信モジュールが前記第１装置に第７情報を送信した後、前記第６情報に基づき前記第２タイマーを起動し、前記第７情報は、前記第２装置が前記第２接続状態を開始すると決定することを指示することに用いられることを特徴とする請求項４１に記載の通信装置。
【請求項４４】
受信モジュールを備え、前記受信モジュールは、
前記第１装置の送信した、前記第１装置が前記レイヤ２ＰＤＵを正確に受信することを指示するための第８情報を受信し、又は
前記第１装置の送信した、前記第１装置と前記第２装置の必要な接続状態を指示するための第９情報を受信することを特徴とする請求項３６〜３９のいずれか一項に記載の通信装置。
【請求項４５】
タイマーを起動する第１処理モジュールと、
前記タイマーがタイムアウトすると、第１装置と第２装置の接続状態を第１接続状態から第２接続状態に切り替える第２処理モジュールと、を備えることを特徴とする通信装置。
【請求項４６】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項４５に記載の通信装置。
【請求項４７】
前記第１処理モジュールは具体的には、
前記第１装置が前記第２装置にデータパケット又はシグナリングを送信した後、前記タイマーを起動し、又は
前記第１装置が前記第２装置の送信した前記データパケット又は前記シグナリングの第１情報を受信した後、前記タイマーを起動し、前記第１情報は前記第２装置が前記データパケット又は前記シグナリングを正確に受信することを指示することに用いられることを特徴とする請求項４５又は４６に記載の通信装置。
【請求項４８】
前記第１処理モジュールは具体的には、
前記第２装置が前記第１装置の送信したデータパケット又はシグナリングを受信した後、前記タイマーを起動し、又は
前記第２装置が前記データパケット又は前記シグナリングに対応する第２情報を前記第１装置に送信した後、前記タイマーを起動し、前記第２情報は前記第１装置が前記データパケット又は前記シグナリングを正確に受信することを指示することに用いられ、
又は前記第１装置と第２装置の間の無線ベアラの確立が完了した後、前記タイマーを起動することを特徴とする請求項４５又は４６に記載の通信装置。
【請求項４９】
前記第１装置と前記第２装置の間のすべての無線ベアラは単一のタイマーに対応し、前記第１処理モジュールは具体的には、前記第１装置と第２装置の間のすべての無線ベアラの確立が完了した後、前記タイマーを起動することを特徴とする請求項４８に記載の通信装置。
【請求項５０】
前記第１装置と前記第２装置の間のすべての無線ベアラの各無線ベアラは１つのタイマーに対応し、
前記第１処理モジュールは具体的には、前記第１装置と前記第２装置の間の各無線ベアラの確立が完了した後、対応するタイマーを起動し、
前記第２処理モジュールは具体的には、前記すべての無線ベアラに対応するすべてのタイマーがタイムアウトすると、前記第１装置と前記第２装置の接続状態を第１接続状態から第２接続状態に切り替えることを特徴とする請求項４８に記載の通信装置。
【発明の詳細な説明】
【技術分野】
【０００１】
本発明は通信分野に関し、より具体的には、通信方法及び通信装置に関する。
【背景技術】
【０００２】
ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）では、２つの通信装置の接続状態が複数存在する。端末装置とネットワーク側装置の接続状態を例として、端末装置がアクティブ状態である時、端末装置とネットワーク側装置が一接続状態にあり、端末装置が非アクティブ状態である時、端末装置とネットワーク側装置が別の接続状態にある。端末装置とネットワーク側装置の間にデータ伝送がない場合、ネットワーク側装置は端末装置に無線リソース制御（Ｒａｄｉｏ  Ｒｅｓｏｕｒｃｅ  Ｃｏｎｔｒｏｌ、ＲＲＣ）上位層シグナリングを送信して端末装置に非アクティブ状態の開始を指示して、前記端末装置と前記ネットワーク側装置を対応する接続状態にする。しかしながら、ＲＲＣ上位層シグナリングを送信する際に、複雑なカプセル化プロセスが必要であり、システムのオーバーヘッドが大きく、また、端末装置が複雑さの高いＲＲＣ上位層シグナリングを解析する際に、より多くの時間と消費電力が必要である。
【発明の概要】
【発明が解決しようとする課題】
【０００３】
本発明の実施例は通信方法及び通信装置を提供し、通信装置はレイヤ２ＰＤＵを受信して必要な接続状態を決定することで、システムのオーバーヘッドを減らし、通信の複雑さを軽減させることができる。
【課題を解決するための手段】
【０００４】
第１態様によれば、通信方法を提供し、第１装置が、第２装置の送信したレイヤ２プロトコルデータユニットＰＤＵを受信するステップと、前記第１装置が、前記レイヤ２ＰＤＵに基づき、前記第１装置と前記第２装置の必要な接続状態を決定するステップと、を含む。
【０００５】
該技術案では、第１装置が前記レイヤ２ＰＤＵを解析するプロセスは比較的簡単であり、通信の複雑さを軽減させ、システムのオーバーヘッドを減らし、解析遅延を短縮させることができる。更に、該技術案は様々な装置間の接続状態の決定に適用でき、柔軟性が高く、互換性及び拡張性に優れる。また更に、該技術案では実行主体が様々であり、第１装置が端末装置であるかネットワーク側装置であるかに関わらず、接続状態の切替が必要である時に、接続状態の切替をタイムリーに実行できる。
【０００６】
第１態様の可能な実施形態では、前記第１装置は端末装置、前記第２装置はネットワーク側装置であり、又は、前記第１装置はネットワーク側装置、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０００７】
従来技術ではＲＲＣ上位層シグナリングによって端末装置にアクティブ状態から非アクティブ状態への切替を指示することに比べて、該技術案は操作が簡単で、実現しやすい。
【０００８】
第１態様の可能な実施形態では、前記第１装置が前記レイヤ２ＰＤＵに基づき、前記第１装置と前記第２装置の必要な接続状態を決定することは、前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定するステップを含み、前記第１情報は前記第１装置と前記第２装置の間の後続のデータ伝送の有無を指示することに用いられる。
【０００９】
該技術案では、前記第１装置は前記レイヤ２ＰＤＵにデータパケットが含まれるか否かに基づき接続状態を決定する場合、シグナリングのオーバーヘッドを減らし、前記レイヤ２ＰＤＵの複雑さを軽減させることができる。前記第１装置は第１情報に基づき接続状態を決定する場合、前記第１情報は余計なシグナリング指示を必要とせずに、データパケットとともに前記レイヤ２ＰＤＵにベアラでき、前記データパケットを伝送すると同時に前記第１情報を第１装置に伝送し、シグナリングのオーバーヘッドを減らし、第１装置の消費電力を低減させることができる。
【００１０】
第１態様の可能な実施形態では、前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定することは、前記第１情報が前記第１装置と前記第２装置の間の後続のデータ伝送があることを指示する場合、前記第１装置と前記第２装置が第１接続状態にある必要があると決定するステップと、前記第１情報が前記第１装置と前記第２装置の間の後続のデータ伝送がないことを指示する場合、前記第１装置と前記第２装置が第２接続状態にある必要があると決定するステップと、を含む。
【００１１】
該技術案では、第１情報の異なる指示コンテンツに異なる接続状態を対応付けることで、第１装置は前記必要な接続状態を高効率に決定できる。
【００１２】
第１態様の可能な実施形態では、前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定することは、前記レイヤ２ＰＤＵにデータパケットが含まれる場合、前記第１装置と前記第２装置が第１接続状態にある必要があると決定するステップと、前記レイヤ２ＰＤＵにデータパケットが含まれていない場合、前記第１装置と前記第２装置が第２接続状態にある必要があると決定するステップと、を含む。
【００１３】
該技術案では、前記レイヤ２ＰＤＵにデータパケットが含まれることと含まれていないことに、それぞれ１種の接続状態を対応付けられることで、第１装置が前記必要な接続状態を高効率に決定できる。
【００１４】
第１態様の可能な実施形態では、前記レイヤ２ＰＤＵは、前記第１装置と前記第２装置の必要な接続状態を指示するための第２情報を含み、前記第１装置が前記レイヤ２ＰＤＵに基づき、前記第１装置と前記第２装置の必要な接続状態を決定することは、前記第１装置が前記レイヤ２ＰＤＵに含まれる第２情報に基づき、前記第２装置と前記第２装置の必要な接続状態を決定するステップを含む。
【００１５】
該技術案では、第１装置が直接該レイヤ２ＰＤＵに含まれる第２情報に基づき、前記必要な状態を決定できることで、前記第１装置が前記必要な接続状態を決定する遅延を短縮させ、前記第１装置が前記必要な接続状態を決定する効率を向上させることができる。
【００１６】
第１態様の可能な実施形態では、前記第１装置と前記第２装置が現在第１接続状態にあり、前記第１装置と前記第２装置の必要な接続状態が第２接続状態であり、前記通信方法は、前記第１装置が前記レイヤ２ＰＤＵを受信した後、第１タイマーを起動し、又は、前記第１装置が、前記第１装置が前記第２接続状態を開始すると決定することを指示するための第３情報を前記第２装置に送信した後、前記第１タイマーを起動するステップと、前記第１タイマーがタイムアウトすると、前記第１装置が前記接続状態を前記第１接続状態から前記第２接続状態に切り替えるステップと、をさらに含む。
【００１７】
該技術案では、第１装置が第１タイマーに基づき接続状態の切替を実行できることで、第１装置が接続状態の切替時点を柔軟に制御することに寄与する。
【００１８】
第１態様の可能な実施形態では、前記レイヤ２ＰＤＵは前記第１タイマーの設定時間長さを指示するための第４情報を含み、前記第１タイマーを起動することは、前記第４情報に基づき、前記第１タイマーを起動するステップを含む。
【００１９】
該技術案では、第２装置が第１タイマーと第２タイマーの設定時間長さを管理できることで、第１装置と第２装置が同一時点又は近い時点内に接続状態を切り替えることに寄与し、それにより第１装置と第２装置の消費電力を節約する。
【００２０】
第１態様の可能な実施形態では、前記レイヤ２ＰＤＵは第２装置の第２タイマーの設定時間長さを要求するための第５情報を含み、前記通信方法は、前記第１装置が前記第２タイマーの設定時間長さを決定するステップと、前記第１装置が前記第２タイマーの設定時間長さを指示するための第６情報を前記第２装置に送信するステップと、をさらに含み、前記第１タイマーを起動することは、前記第１装置が前記第２装置に前記第６情報を送信した後、前記第１タイマーを起動するステップ、又は前記第１装置が前記第２装置に前記第６情報を送信し、且つ前記第２装置の送信したて、前記第２装置が前記第２接続状態を開始すると決定することを指示するための第７情報をした後、前記第１タイマーを起動するステップを含む。
【００２１】
該技術案では、第１装置が第２装置の第２タイマーの設定時間長さを決定することで、第１装置が第１タイマーと第２タイマーの設定時間長さの管理を便利になり、第１装置と第２装置が同一時点又は近い時点内に接続状態を切り替えることに寄与し、それにより第１装置と第２装置の消費電力を節約する。
【００２２】
第１態様の可能な実施形態では、前記第１装置が第２装置の送信したレイヤ２ＰＤＵを受信した後、前記通信方法は、前記第１装置が、前記第１装置が前記レイヤ２ＰＤＵを正確に受信することを指示するための第８情報を前記第２装置に送信するステップ、又は前記第１装置が、前記第１装置と前記第２装置の必要な接続状態を指示するための第９情報を前記第２装置に送信するステップをさらに含む。
【００２３】
該技術案では、該第１装置が決定した前記必要な接続状態を第２装置に報知できることで、第２装置が接続状態をタイムリーに切り替え、第２装置の消費電力を節約できる。
【００２４】
選択的に、第１態様の可能な実施形態では、前記第１タイマーは、前記第４情報で指示される前記第１タイマーの設定時間長さを含む少なくとも１つの第１設定時間長さを設定し、前記第２タイマーは、前記第６情報で指示される前記第２タイマーの設定時間長さを含む少なくとも１つの第２設定時間長さを設定する。
【００２５】
第１タイマーと第２タイマーはともに複数の設定時間長さを設定できることで、第１装置及び／又は第２装置は対応する設定時間長さを柔軟に選択して接続状態の切替を行うことができる。
【００２６】
選択的に、第１態様の可能な実施形態では、前記第１タイマーを起動することは、前記第６情報に基づき前記第１タイマーを起動するステップを含む。
【００２７】
第１装置が第２タイマーの設定時間長さに基づき第１タイマーを起動することで、第１装置と第２装置は第１接続状態を第２接続状態に同時に切り替えることができる。
【００２８】
選択的に、第１態様の可能な実施形態では、前記第１タイマーの設定時間長さ及び／又は前記第２タイマーの設定時間長さはネットワーク側装置によって設定され又はプロトコルによって合意され、前記第１タイマー及び／又は前記第２タイマーは端末に基づき設定され又は前記端末のベアラに基づき設定される。
【００２９】
第１タイマーと第２タイマーは設定方式が柔軟で、互換性及び拡張性に優れる。
【００３０】
選択的に、第１態様の可能な実施形態では、前記レイヤ２ＰＤＵはパケットデータコンバージェンスプロトコルＰＤＣＰレイヤＰＤＵ、無線リンク制御プロトコルＲＬＣレイヤＰＤＵ又はメディアアクセス制御ＭＡＣレイヤＰＤＵを含む。
【００３１】
該技術案では、前記レイヤ２ＰＤＵに含まれるコンテンツは様々であり、互換性及び拡張性に優れる。
【００３２】
選択的に、第１態様の可能な実施形態では、前記第１情報、前記第２情報、前記第４情報又は前記第５情報をベアラするための指示フィールドは前記レイヤ２ＰＤＵのヘッダーに位置してもよく、前記レイヤ２ＰＤＵのテールに位置してもよく、前記レイヤ２ＰＤＵの任意の位置に位置してもよく、前記指示フィールドはＰＤＵの中の追加したフィールドであってもよく、ＰＤＵの中の特殊値を含む既存フィールドであってもよい。
【００３３】
該技術案では、前記指示フィールドが前記レイヤ２ＰＤＵのヘッダー又はテールに位置することで、第１装置が前記指示フィールドにベアラされる情報を高効率に取得でき、それにより第１装置が前記必要な接続状態を決定する効率を向上させる。
【００３４】
第２態様によれば、通信方法を提供し、第２装置が、前記第１通信装置が前記第１装置と前記第２装置の必要な接続状態を決定するためのレイヤ２プロトコルデータユニットＰＤＵを生成するステップと、前記第２装置が前記第１装置に前記レイヤ２ＰＤＵを送信するステップと、を含む。
【００３５】
前記第２装置が前記レイヤ２ＰＤＵを送信するプロセスは比較的簡単で、通信の複雑さを軽減させ、システムのオーバーヘッドを減らし、遅延を短縮させることができる。更に、該技術案では実行主体は様々であり、第２装置が端末装置であるかネットワーク側装置であるかに関わらず、第１装置に前記レイヤ２ＰＤＵを送信でき、それにより第１装置が必要な接続状態をタイムリーに決定できる。
【００３６】
第２態様の可能な実施形態では、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【００３７】
従来技術ではネットワーク側装置がＲＲＣ上位層シグナリングによって端末装置にアクティブ状態から非アクティブ状態への切替を指示することに比べて、該技術案は複雑さが低く、実現しやすい。
【００３８】
第２態様の可能な実施形態では、前記第２装置がレイヤ２ＰＤＵを生成することは、前記第２装置が第１装置と第２装置の間で現在データパケット伝送を行っている否か及び／又は第１装置と第２装置の間の後続のデータ伝送の有無に基づき、前記レイヤ２ＰＤＵを生成するステップを含む。
【００３９】
該技術案では、第２装置が第１装置と第２装置の間での伝送状況に基づき、前記レイヤ２ＰＤＵを生成することで、第１装置は前記レイヤ２ＰＤＵに基づき前記必要な接続状態をタイムリーかつ正確に決定できる。
【００４０】
第２態様の可能な実施形態では、前記第２装置が前記第１装置と前記第２装置の間で現在データパケット伝送を行っているか否か及び／又は前記第１装置と前記第２装置の間の後続のデータ伝送の有無に基づき、前記レイヤ２ＰＤＵを生成することは、前記第１装置と前記第２装置の間で現在データパケット伝送を行っている場合、前記第２装置が前記データパケットを含む前記レイヤ２ＰＤＵを生成するステップと、前記第１装置と前記第２装置の間で現在データパケット伝送を行っていない場合、前記第２装置がデータパケットを含まない前記レイヤ２ＰＤＵを生成するステップと、前記第１装置と前記第２装置の間の後続のデータ伝送がない場合、前記第２装置が前記第１装置と前記第２装置の間の後続のデータ伝送がないことを指示するための第１情報を含む前記レイヤ２ＰＤＵを生成するステップと、前記第１装置と前記第２装置の間の後続のデータ伝送がある場合、前記第２装置が前記第１装置と前記第２装置の間の後続のデータ伝送があることを指示するための第１情報を含む前記レイヤ２ＰＤＵを生成するステップと、を含む。
【００４１】
該技術案では、第１装置が前記必要な接続状態を決定するように、第２装置は複数の方式によって対応する前記レイヤ２ＰＤＵを生成でき、該技術案は柔軟性が高い。
【００４２】
第２態様の可能な実施形態では、前記通信方法は、前記第２装置が前記第１装置と前記第２装置の必要な接続状態を決定するステップをさらに含み、前記第２装置がレイヤ２ＰＤＵを生成することは、前記第２装置が前記第１装置と前記第２装置の必要な接続状態を指示するための第２情報を含む前記レイヤ２ＰＤＵを生成するステップを含む。
【００４３】
該技術案では、第２装置は前記必要な接続状態を指示するための第２情報を第１装置に直接送信できることで、前記第１装置が前記必要な接続状態を決定する遅延を短縮させ、前記第１装置が前記必要な接続状態を決定する効率を向上させることができる。
【００４４】
第２態様の可能な実施形態では、前記第１装置と前記第２装置が現在第１接続状態にあり、前記第１装置と前記第２装置の必要な接続状態が第２接続状態であり、前記通信方法は、前記第２装置が前記レイヤ２ＰＤＵを送信した後、第２タイマーを起動し、又は、前記第２装置が前記第１装置の送信した、前記第１装置が前記第２接続状態を開始すると決定することを指示するための第３情報を受信した後、第２タイマーを起動するステップと、前記第２タイマーがタイムアウトすると、前記第２装置が前記接続状態を前記第１接続状態から前記第２接続状態に切り替えるステップと、をさらに含む。
【００４５】
該技術案では、第２装置が第２タイマーに基づき接続状態の切替を実行できることで、第２装置が接続状態の切替時点を柔軟に制御することに寄与する。
【００４６】
第２態様の可能な実施形態では、前記第２装置がレイヤ２ＰＤＵを生成することは、前記第２装置が前記第１装置の第１タイマーの設定時間長さを指示するための第４情報を含む前記レイヤ２ＰＤＵを生成することにより、前記第１装置が前記第４情報に基づき前記第１装置の第１タイマーを起動するステップを含む。
【００４７】
該技術案では、第２装置が第１タイマーと第２タイマーの設定時間長さを管理できることで、第１装置と第２装置が同一時点又は近い時点内に接続状態を切り替えることに寄与し、それにより第１装置と第２装置の消費電力を節約する。
【００４８】
第２態様の可能な実施形態では、前記第２装置がレイヤ２ＰＤＵを生成することは、前記第２装置が前記第２タイマーの設定時間長さを要求するための第５情報を含む前記レイヤ２ＰＤＵを生成するステップを含み、前記通信方法は、前記第２装置が前記第１装置の送信した、前記第２タイマーの設定時間長さを指示するための第６情報を受信するステップをさらに含み、前記第２タイマーを起動することは、前記第２装置が前記第１装置の送信した前記第６情報を受信した後、前記第６情報に基づき前記第２タイマーを起動するステップ、又は前記第２装置が前記第１装置の送信した前記第６情報を受信し、且つ前記第２装置が前記第２接続状態を開始すると決定することを指示するための第７情報を前記第１装置に送信した後、前記第６情報に基づき前記第２タイマーを起動するステップを含む。
【００４９】
該技術案では、第１装置が第１タイマーと第２タイマーの設定時間長さを管理できることで、第１装置と第２装置が同一時点又は近い時点内に接続状態を切り替えることに寄与し、それにより第１装置と第２装置の消費電力を節約する。
【００５０】
第２態様の可能な実施形態では、前記第２装置が前記第１装置に前記レイヤ２ＰＤＵを送信した後、前記通信方法は、前記第２装置が前記第１装置の送信した、前記第１装置が前記レイヤ２ＰＤＵを正確に受信することを指示するための第８情報を受信するステップ、又は前記第２装置が前記第１装置の送信した、前記第１装置と前記第２装置の必要な接続状態を指示するための第９情報を受信するステップをさらに含む。
【００５１】
該技術案では、第２装置は第２装置の送信した第９情報を受信できることで、第２装置が接続状態をタイムリーに切り替えることができ、第２装置の消費電力を節約する。
【００５２】
選択的に、第２態様の可能な実施形態では、前記第１タイマーは、前記第４情報で指示される前記第１タイマーの設定時間長さを含む少なくとも１つの第１設定時間長さを設定し、前記第２タイマーは、前記第６情報で指示される前記第２タイマーの設定時間長さを含む少なくとも１つの第２設定時間長さを設定する。
【００５３】
第１タイマーと第２タイマーはともに複数の設定時間長さを設定できることで、第１装置及び／又は第２装置は対応する設定時間長さを柔軟に選択して接続状態の切替を行うことができる。
【００５４】
選択的に、第２態様の可能な実施形態では、前記第２タイマーを起動することは、前記第４情報に基づき前記第１タイマーを起動するステップを含む。
【００５５】
第２装置が第１タイマーの設定時間長さに基づき第２タイマーを起動することで、第１装置と第２装置は第１接続状態を第２接続状態に同時に切り替えることができる。
【００５６】
選択的に、第２態様の可能な実施形態では、前記第１タイマーの設定時間長さ及び／又は前記第２タイマーの設定時間長さはネットワーク側装置によって設定され又はプロトコルによって合意され、前記第１タイマー及び／又は前記第２タイマーは端末に基づき設定され又は前記端末のベアラに基づき設定される。
【００５７】
第１タイマーと第２タイマーは設定方式が柔軟で、互換性及び拡張性に優れる。
【００５８】
選択的に、第２態様の可能な実施形態では、前記レイヤ２ＰＤＵはパケットデータコンバージェンスプロトコルＰＤＣＰレイヤＰＤＵ、無線リンク制御プロトコルＲＬＣレイヤＰＤＵ、又はメディアアクセス制御ＭＡＣレイヤＰＤＵを含む。
【００５９】
該技術案では、前記レイヤ２ＰＤＵに含まれるコンテンツは様々であり、互換性及び拡張性に優れる。
【００６０】
選択的に、第２態様の可能な実施形態では、前記第１情報、前記第２情報、前記第４情報又は前記第５情報をベアラするための指示フィールドは前記レイヤ２ＰＤＵのヘッダーに位置してもよく、前記レイヤ２ＰＤＵのテールに位置してもよく、前記レイヤ２ＰＤＵの任意の位置に位置してもよく、前記指示フィールドはＰＤＵの中の追加したフィールドであってもよく、ＰＤＵの中の特殊値を含む既存フィールドであってもよい。
【００６１】
該技術案では、前記指示フィールドが前記レイヤ２ＰＤＵのヘッダー又はテールに位置することで、第１装置が前記指示フィールドにベアラされる情報を高効率に取得でき、それにより第１装置が前記必要な接続状態を決定する効率を向上させる。
【００６２】
第３態様によれば、通信方法を提供し、タイマーを起動するステップと、前記タイマーがタイムアウトすると、前記第１装置と前記第２装置の接続状態を第１接続状態から第２接続状態に切り替えるステップと、を含む。
【００６３】
第１装置又は第２装置がタイマーに基づき、第１接続状態を第２接続状態に切り替えることができ、該技術案は制御しやすく、互換性及び拡張性に優れる。
【００６４】
第３態様の可能な実施形態では、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【００６５】
従来技術ではＲＲＣ上位層シグナリングによって端末装置にアクティブ状態から非アクティブ状態への切替を指示することに比べて、該技術案は余計なシグナリング指示が不要で、シグナリングのオーバーヘッドを減らし、消費電力を低減させることができる。
【００６６】
第３態様の可能な実施形態では、前記タイマーを起動することは、前記第１装置が前記第２装置にデータパケット又はシグナリングを送信した後、前記タイマーを起動するステップ、又は前記第１装置が前記第２装置の送信した前記データパケット又は前記シグナリングの第１情報を受信した後、前記タイマーを起動し、前記第１情報が、前記第２装置が前記データパケット又は前記シグナリングを正確に受信することを指示することに用いられるステップを含む。
【００６７】
該技術案では、第１装置又は第２装置がタイマーに基づき接続状態の切替を実行できることで、シグナリングのオーバーヘッドを減らし、第１装置の消費電力を低減させることができる。
【００６８】
第３態様の可能な実施形態では、前記タイマーを起動することは、第２装置が前記第１装置の送信したデータパケット又はシグナリングを受信した後、前記タイマーを起動するステップ、又は前記第２装置が前記データパケット又は前記シグナリングに対応する第２情報を前記第１装置に送信した後、前記タイマーを起動し、前記第２情報が、前記第１装置が前記データパケット又は前記シグナリングを正確に受信することを指示することに用いられるステップ、又は前記第１装置と第２装置の間の無線ベアラの確立が完了した後、前記タイマーを起動するステップを含む。
【００６９】
該技術案では、第１装置又は第２装置がタイマーに基づき接続状態の切替を実行できることで、シグナリングのオーバーヘッドを減らし、第２装置の消費電力を低減させることができる。
【００７０】
第３態様の可能な実施形態では、前記第１装置と前記第２装置の間のすべての無線ベアラは単一のタイマーに対応し、前記第１装置と第２装置の間の無線ベアラの確立が完了した後、タイマーを起動することは、前記第１装置と第２装置の間のすべての無線ベアラの確立が完了した後、前記タイマーを起動するステップを含む。
【００７１】
該技術案では、すべての無線ベアラが単一のタイマーに対応することで、タイマーを節約し、コストを削減させることができる。
【００７２】
第３態様の可能な実施形態では、前記第１装置と前記第２装置の間のすべての無線ベアラの各々は１つのタイマーに対応し、前記第１装置と第２装置の間の無線ベアラの確立が完了した後、タイマーを起動することは、前記第１装置と前記第２装置の間の各無線ベアラの確立が完了した後、対応するタイマーを起動するステップを含み、前記タイマーの設定した時間がタイムアウトすると、前記第１装置と前記第２装置の接続状態を第１接続状態から第２接続状態に切り替えることは、前記すべての無線ベアラに対応するすべてのタイマーがタイムアウトすると、前記第１装置と前記第２装置の接続状態を第１接続状態から第２接続状態に切り替えるステップを含む。
【００７３】
該技術案では、各無線ベアラが１つのタイマーに対応することで、タイマーが各無線ベアラに狙いをつけて制御でき、柔軟性が高く、互換性に優れる。
【００７４】
第４態様によれば、第１態様又は第１態様の任意の可能な実施形態に係る方法を実行する通信装置を提供する。具体的には、該通信装置は、第１態様又は第１態様の任意の可能な実施形態に係る方法を実行するモジュール及び／又はユニットを備える。
【００７５】
第５態様によれば、第２態様又は第２態様の任意の可能な実施形態に係る方法を実行する通信装置を提供する。具体的には、該通信装置は第２態様又は第２態様の任意の可能な実施形態に係る方法を実行するモジュール及び／又はユニットを備える。
【００７６】
第６態様によれば、第３態様又は第３態様の任意の可能な実施形態に係る方法を実行する通信装置を提供する。具体的には、該通信装置は第３態様又は第３態様の任意の可能な実施形態に係る方法を実行するモジュール及び／又はユニットを備える。
【００７７】
第７態様によれば、通信機器を提供し、送受信機、メモリ、プロセッサ及びバスシステムを備える。送受信機、メモリ及びプロセッサはバスシステムによって接続され、メモリは命令を記憶し、プロセッサはメモリに記憶された命令を実行し、送受信機が信号を送受信するように制御し、且つプロセッサがメモリに記憶された命令を実行する時、プロセッサが第１態様又は第１態様の任意の可能な実施形態に係る方法を実行する。
【００７８】
第８態様によれば、通信機器を提供し、送受信機、メモリ、プロセッサ及びバスシステムを備える。送受信機、メモリ及びプロセッサはバスシステムによって接続され、メモリは命令を記憶し、プロセッサはメモリに記憶された命令を実行し、送受信機が信号を送受信するように制御し、且つプロセッサがメモリに記憶された命令を実行する時、プロセッサが第２態様又は第２態様の任意の可能な実施形態に係る方法を実行する。
【００７９】
第９態様によれば、通信機器を提供し、送受信機、メモリ、プロセッサ及びバスシステムを備える。送受信機、メモリ及びプロセッサはバスシステムによって接続され、メモリは命令を記憶し、プロセッサはメモリに記憶された命令を実行し、送受信機が信号を送受信するように制御し、且つプロセッサがメモリに記憶された命令を実行する時、プロセッサが第３態様又は第３態様の任意の可能な実施形態に係る方法を実行する。
【００８０】
第１０態様によれば、コンピュータ可読媒体を提供し、第１態様又は第１態様の任意の可能な実施形態に係る方法を実行するための命令を含むコンピュータプログラムを記憶する。
【００８１】
第１１態様によれば、コンピュータ可読媒体を提供し、第２態様又は第２態様の任意の可能な実施形態に係る方法を実行するための命令を含むコンピュータプログラムを記憶する。
【００８２】
第１２態様によれば、コンピュータ可読媒体を提供し、第３態様又は第３態様の任意の可能な実施形態に係る方法を実行するための命令を含むコンピュータプログラムを記憶する。
【図面の簡単な説明】
【００８３】
本願の実施例の技術案をより明瞭に説明するために、以下、実施例又は従来技術の説明に使用される図面を簡単に説明し、明らかなように、下記図面は本願のいくつかの実施例に過ぎず、当業者は、創造的な労働をせずに、これらの図面に基づきほかの図面を想到し得る。
【００８４】
【図１】本発明の一実施例に係る通信方法の概略フローチャートである。
【図２】本発明の一実施例に係るレイヤ２ＰＤＵの模式図である。
【図３】本発明の別の実施例に係るレイヤ２ＰＤＵの模式図である。
【図４】本発明のさらに別の実施例に係るレイヤ２ＰＤＵの模式図である。
【図５】本発明の別の実施例に係る通信方法の概略フローチャートである。
【図６】本発明により実施される通信方法のインタラクションフローチャートである。
【図７】本発明のさらに別の実施例に係る通信方法の概略フローチャートである。
【図８】本発明の一実施例に係る通信装置の概略ブロック図である。
【図９】本発明の別の実施例に係る通信装置の概略ブロック図である。
【図１０】本発明のさらに別の実施例に係る通信装置の概略ブロック図である。
【図１１】本発明の一実施例に係る通信機器の概略ブロック図である。
【図１２】本発明のさらに別の実施例に係る通信機器の概略ブロック図である。
【図１３】本発明の別の実施例に係る通信機器の概略ブロック図である。
【発明を実施するための形態】
【００８５】
以下、本願の実施例の図面を参照して、本願の実施例の技術案を明瞭且つ完全に説明する。明らかなように、説明される実施例は本願の一部の実施例であり、すべての実施例ではない。本願の実施例に基づき、当業者が創造的な労働をせずに想到し得るほかの実施例はすべて、本願の保護範囲に属する。
【００８６】
本願は、端末装置とアクセスネットワーク装置の各実施例を組み合わせる。端末装置はアクセス端末、ユーザー機器（ｕｓｅｒ  ｅｑｕｉｐｍｅｎｔ、ＵＥ）、ユーザーユニット、ユーザー局、移動局、モバイルステーション、遠隔局、遠隔端末、移動装置、ユーザー端末、端末、無線通信装置、ユーザーエージェント又はユーザー装置とも呼称される。アクセス端末はセルラーホン、コードレス電話、ＳＩＰ（Ｓｅｓｓｉｏｎ  Ｉｎｉｔｉａｔｉｏｎ  Ｐｒｏｔｏｃｏｌ、セッション開始プロトコル）電話、ＷＬＬ（Ｗｉｒｅｌｅｓｓ  Ｌｏｃａｌ  Ｌｏｏｐ、ワイヤレスローカルループ）ステーション、ＰＤＡ（Ｐｅｒｓｏｎａｌ  Ｄｉｇｉｔａｌ  Ａｓｓｉｓｔａｎｔ、パーソナルデジタルアシスタント）、無線通信機能を有するハンドヘルドデバイス、コンピューティング装置、又は無線モデムに接続されたほかの処理装置、車載装置、ウェアラブル装置、及び将来の５Ｇネットワークにおける端末装置であってもよい。
【００８７】
ネットワーク側装置は移動装置と通信することに適用でき、ネットワーク側は移動体通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）における基地局（ＮｏｄｅＢ、ＮＢ）であってもよく、ロングタームエボリューション（Ｌｏｎｇ  Ｔｅｒｍ  Ｅｖｏｌｕｔｉｏｎ、ＬＴＥ）における進化型基地局（Ｅｖｏｌｕｔｉｏｎａｌ  Ｎｏｄｅ  Ｂ、ｅＮＢ又はｅＮｏｄｅＢ）、又は中継局又はアクセスポイント、又は車載装置、ウェアラブル装置及び将来の５Ｇネットワークにおけるアクセスネットワーク装置であってもよい。
【００８８】
本願の実施例の理解を便利にするために、ここで本願の実施例を説明する前、以下の要素を導入する。
【００８９】
端末装置とネットワーク側装置の接続状態は少なくとも以下の３種を含む。
【００９０】
１、非接続状態。すなわち、端末装置がアイドルモードにある時、端末装置とネットワーク側装置は非接続状態である。アイドルモードは１つのアイドル（Ｉｄｌｅ）状態しかない。Ｉｄｌｅ状態では、端末装置のすべての接続はアクセスレイヤでクローズされる。ＵＴＲＡＮでは、アイドルモードの端末装置にコンテキストを作成してないため、特定の端末装置をアドレッシングするには、１つのセル内ですべての端末装置又は同じページング期間をモニタリングする複数の端末装置にページングメッセージを送信するしかできない。
【００９１】
２、端末装置がアクティブ状態にある時の端末装置とネットワーク側装置の接続状態。アクティブ状態は端末装置が上位層シグナリング接続の接続モードにある状態を含む。
【００９２】
３、端末装置が非アクティブ状態にある時の端末装置とネットワーク側装置の接続状態。端末装置が非アクティブ状態にある時、端末装置のＲＲＣ接続とベアラはネットワーク側装置に保留されるが、端末装置のアクセスレイヤでの挙動はネットワーク側装置に通知しない。
【００９３】
図１は本発明の一実施例に係る通信方法１００の概略フローチャートである。該通信方法１００は、
Ｓ１１０、第１装置は第２装置の送信したレイヤ２プロトコルデータユニット（Ｐｒｏｔｏｃｏｌ  Ｄａｔａ  Ｕｎｉｔ、ＰＤＵ）を受信するステップと、
Ｓ１２０、前記第１装置は、前記レイヤ２ＰＤＵに基づき、前記第１装置と前記第２装置の必要な接続状態を決定するステップと、を含む。
【００９４】
具体的には、上記のように、第１装置と第２装置の接続状態は複数種を含み、第１装置は前記レイヤ２ＰＤＵに基づき、必要な接続状態を決定できる。選択的に、一例として、前記レイヤ２ＰＤＵはパケットデータコンバージェンスプロトコル（Ｐａｃｋｅｔ  Ｄａｔａ  Ｃｏｎｖｅｒｇｅｎｃｅ  Ｐｒｏｔｏｃｏｌ、  ＰＤＣＰ）レイヤＰＤＵ、無線リンク制御プロトコル（Ｒａｄｉｏ  Ｌｉｎｋ  Ｃｏｎｔｒｏｌ、ＲＬＣ）レイヤＰＤＵ又はメディアアクセス制御（Ｍｅｄｉａ  Ａｃｃｅｓｓ  Ｃｏｎｔｒｏｌ、ＭＡＣ）レイヤＰＤＵを含んでもよい。
【００９５】
従来技術では端末装置がネットワーク側装置の送信したＲＲＣ上位層シグナリングを解析することに比べて、第１装置が前記レイヤ２ＰＤＵを解析するプロセスは比較的簡単で、通信の複雑さを軽減させ、システムのオーバーヘッドを減らし、解析遅延を短縮させることができる。
【００９６】
更に、該技術案では、第１装置と第２装置のうち両方はネットワーク側装置であり、又は第１装置と第２装置のうち両方は端末装置であり、又は第１装置と第２装置のうち一方はネットワーク側装置、他方は端末装置であり、選択的に、一例として、前記第１装置は端末装置、前記第２装置はネットワーク側装置であり、又は、前記第１装置はネットワーク側装置、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。該通信方法１００は、様々な通信装置間の必要な接続状態を決定でき、柔軟性が高く、互換性と拡張性に優れる。
【００９７】
また更に、該技術案では、実行主体は端末装置又はネットワーク側装置であってもよく、端末装置又はネットワーク側装置は前記レイヤ２ＰＤＵに基づき、前記必要な接続状態をタイムリーに決定でき、それにより端末装置又はネットワーク側装置は接続状態の切替を必要とする場合、接続状態を高効率に切り替えることができる。
【００９８】
以上、図１を参照して全体の観点から通信方法を説明し、前記通信方法１００では、第１装置はレイヤ２ＰＤＵに基づき、第１装置と第２装置の必要な接続状態を決定でき、以下、いくつかの具体的な実施形態を参照して、第１装置が如何に前記レイヤ２ＰＤＵに基づき、前記必要な接続方式を決定するかを詳細に説明する。
【００９９】
選択的に、一例として、前記第１装置は前記レイヤ２ＰＤＵにデータパケットが含まれるか否か又は前記レイヤ２ＰＤＵに含まれる第１情報に基づき、前記第１装置と前記第２装置の必要な接続状態を決定し、前記第１情報は前記第１装置と前記第２装置の間の後続のデータ伝送の有無を指示することに用いられる。
【０１００】
具体的には、第１装置が前記レイヤ２ＰＤＵに含まれる第１情報に基づき、前記第１装置と前記第２装置の必要な接続状態を決定することは、
前記第１情報が前記第１装置と前記第２装置の間の後続のデータ伝送があることを指示する場合、前記第１装置は前記第１装置と前記第２装置が第１接続状態にある必要があると決定するステップと、前記第１情報が前記第１装置と前記第２装置の間の後続のデータ伝送がないことを指示する場合、前記第１装置は前記第１装置と前記第２装置が第２接続状態にある必要があると決定するステップと、を含む。
【０１０１】
図２は本発明の一実施例に係るレイヤ２ＰＤＵの模式図である。図２に示すように、前記レイヤ２ＰＤＵはＲＬＣ  ＰＤＵであり、前記ＲＬＣ  ＰＤＵのヘッダーは前記第１情報をベアラするためのＬフィールド（該Ｌフィールドは指示フィールドとも呼称される）を含み、前記指示フィールドの値及び意味は表１に示される。
【０１０２】
【表１】
2019530992.tif 000003
【０１０３】
第１装置は前記第１情報を含むＰＤＵを受信した後、前記第１情報をベアラする指示フィールドの値が「０」である場合、前記第１装置は前記第１情報に基づき、前記第１装置と前記第２装置が第２接続状態にある必要があると決定し、前記第１情報をベアラする指示フィールドの値が「１」である場合、前記第１装置は前記第１情報に基づき、前記第１装置と前記第２装置が第１接続状態にある必要があると決定する。
【０１０４】
なお、前記第１装置が前記第１情報に基づき、前記必要な接続状態を決定する場合、前記レイヤ２ＰＤＵはデータパケットを含んでもよく、データパケットを含まなくてもよい（すなわち前記レイヤ２ＰＤＵはステートパケットであってもよい）。選択的に、前記ＰＤＵがデータパケットを含むと、前記第１情報はさらに前記レイヤ２ＰＤＵに含まれるデータパケットが前記第２装置の伝送した最後のデータパケットであるか否かを指示する。図３は本発明の別の実施例に係るレイヤ２ＰＤＵの模式図である。図３に示すように、前記レイヤ２ＰＤＵはＰＤＣＰ  ＰＤＵであり、前記ＰＤＣＰ  ＰＤＵのヘッダーは前記第１情報をベアラするためのＬフィールド（該Ｌフィールドは指示フィールドとも呼称される）を含み、前記指示フィールドの値及び意味は表２に示される。
【０１０５】
【表２】
2019530992.tif 000004
【０１０６】
該技術案では、前記第１情報は余計なシグナリング指示を必要とせずに、データパケットとともに前記レイヤ２ＰＤＵにベアラでき、前記データパケットを伝送すると同時に、前記第１情報を第１装置に伝送することで、シグナリングのオーバーヘッドを減らし、第１装置の消費電力を節約できる。
【０１０７】
選択的に、一例として、前記レイヤ２ＰＤＵは特殊フィールドを含み又はフィールドは特殊値を含む。第１装置は前記レイヤ２ＰＤＵを受信した後、該特殊フィールドの値又はフィールド中の特殊値に関わらず、前記第１装置と前記第２装置の必要な接続状態が第２接続状態であると決定する。前記特殊フィールドは指示フィールドを含んでもよい。
【０１０８】
換言すれば、第１装置は新フィールドを追加した前記レイヤ２ＰＤＵを受信した後、第１装置と第２装置の必要な接続状態が第２接続状態であると決定できる。
【０１０９】
更に、一例として、第１装置と第２装置の接続状態は複数種であり、各接続状態は１つの特殊フィールドに対応し、第１装置は前記レイヤ２ＰＤＵに含まれる特殊フィールド（又は特殊フィールドの位置）に基づき、第１装置と第２装置の必要な接続状態を決定できる。たとえば、第１接続状態は特殊フィールドＪ、第２接続状態は特殊フィールドＬ、第３接続状態は特殊フィールドＴに対応する場合、前記レイヤ２ＰＤＵが特殊フィールドＴを含むと、前記第１装置は前記第１装置と前記第２装置の必要な接続状態が第３接続状態であると決定でき、該技術案の実施形態は柔軟である。
【０１１０】
具体的には、第１装置は前記レイヤ２ＰＤＵにデータパケットが含まれるか否かに基づき、前記第１装置と前記第２装置の必要な接続状態を決定することは、
前記レイヤ２ＰＤＵにデータパケットが含まれる場合、前記第１装置は前記第１装置と前記第２装置が第１接続状態にある必要があると決定するステップと、前記レイヤ２ＰＤＵにデータパケットが含まれていない場合、前記第１装置は前記第１装置と前記第２装置が第２接続状態にある必要があると決定するステップと、を含む。
【０１１１】
合意に基づいて、前記レイヤ２ＰＤＵにデータパケットが含まれるか否かを１つの指示とするようにしてもよい。該技術案では、ＰＤＵに指示フィールド又はほかの指示情報を追加する必要がなく、シグナリングのオーバーヘッドを減らし、前記レイヤ２ＰＤＵの複雑さを軽減させ、第１装置が前記必要な接続状態を決定する効率を向上させることができる。換言すれば、前記レイヤ２ＰＤＵはステートパケット（又は空きパケット）である場合、前記第１装置と前記第２装置第２接続状態にある必要があると指示することに用いられる。
【０１１２】
選択的に、一例として、前記レイヤ２ＰＤＵは、前記第１装置と前記第２装置の必要な接続状態を指示するための第２情報を含み、前記第１装置が前記レイヤ２ＰＤＵに基づき、前記第１装置と前記第２装置の必要な接続状態を決定することは、前記第１装置が前記レイヤ２ＰＤＵに含まれる第２情報に基づき、前記第２装置と前記第２装置の必要な接続状態を決定するステップを含む。
【０１１３】
該技術案では、前記第１装置の受信した前記レイヤ２ＰＤＵは前記第１装置と前記第２装置の必要な接続状態を直接指示するための第２情報を含み、第１装置は前記第２情報を受信した後、前記第１装置と前記第２装置の必要な接続状態を直接決定（又は取得）できることで、前記第１装置が前記必要な接続状態を決定する遅延を短縮させ、前記第１装置が前記必要な接続状態を決定する効率を向上させることができる。
【０１１４】
以上、図２及び図３を参照して、第１装置が如何に前記レイヤ２ＰＤＵに基づき、前記必要な接続状態を決定するかを詳細に説明した。前記必要な接続状態が前記第１装置と前記第２装置の現在の接続状態と異なると、第１装置は接続状態の切替を行う必要がある。以下、第１装置が如何に接続状態の切替を行うかを詳細に説明する。
【０１１５】
選択的に、一例として、前記第１装置と前記第２装置が現在第１接続状態にあり、前記第１装置と前記第２装置の必要な接続状態が第２接続状態であり、前記通信方法１００は、前記第１装置は前記レイヤ２ＰＤＵを受信した後、第１タイマーを起動し、又は、前記第１装置は前記第１装置が前記第２接続状態を開始すると決定することを指示する（又は前記第１装置が前記レイヤ２ＰＤＵを正確に受信したことを指示する）ための第３情報を前記第２装置に送信した後、前記第１タイマーを起動するステップと、前記第１タイマーがタイムアウトすると、前記第１装置は前記接続状態を前記第１接続状態から前記第２接続状態に切り替えるステップと、をさらに含む。選択的に、前記第３情報はＡＣＫ情報であってもよい。
【０１１６】
具体的には、第１装置の第１タイマーは前記第１装置の接続状態の切替を制御することに用いられる。前記レイヤ２ＰＤＵの確認が必要がない場合、前記第１装置は前記レイヤ２ＰＤＵを受信した後、前記第１タイマーを起動し、それによりシグナリングのオーバーヘッドを減らし、第１装置の消費電力を節約し、前記レイヤ２ＰＤＵの確認が必要がある場合、前記第１装置は前記第３情報を送信した後、前記第１タイマーを起動し、それにより第２装置は前記第１装置の状況をタイムリーに取得して、接続状態をタイムリーに切り替えられる。第１装置はプロトコルに基づいて前記第１タイマーの設定時間長さを合意し、又はほかの方式によって前記第１タイマーの設定時間長さを取得し、詳細は後述する。
【０１１７】
選択的に、一例として、前記第１装置と前記第２装置が現在第１接続状態にあり、前記第１装置と前記第２装置の必要な接続状態が第１接続状態であり、前記第１装置は前記第１接続状態を維持する。
【０１１８】
選択的に、一例として、前記レイヤ２ＰＤＵは前記第１タイマーの設定時間長さを指示するための第４情報を含み、前記第１タイマーを起動することは、前記第４情報に基づき、前記第１タイマーを起動するステップを含む。
【０１１９】
具体的には、前記第１装置は前記第４情報を含む前記レイヤ２ＰＤＵを受信した後、前記第１タイマーの設定時間長さを取得できる。図４は本発明のさらに別の実施例に係るレイヤ２ＰＤＵの模式図である。ＭＡＣ制御要素の英訳は（ＭＡＣ  Ｃｏｎｔｒｏｌ  Ｅｌｅｍｅｎｔ）であり、図４に示すように、前記レイヤ２ＰＤＵはＭＡＣ  ＰＤＵであり、前記ＭＡＣ  ＰＤＵのテールは前記第３情報をベアラするための指示フィールドを含み、前記指示フィールドの値及び意味は表３に示される。
【０１２０】
【表３】
2019530992.tif 000005
【０１２１】
該技術案では、第１装置は前記レイヤ２ＰＤＵに含まれる第４情報に基づき、前記第１タイマーを起動できることで、第１装置は第２装置の指示に基づき所定の設定時間経過して前記第１装置と前記第２装置の接続状態を第１接続状態から第２接続状態に切り替える。
【０１２２】
選択的に、一例として、前記レイヤ２ＰＤＵは第２装置の第２タイマーの設定時間長さの取得を要求するための第５情報を含み、前記通信方法１００は、前記第１装置は前記第２タイマーの設定時間長さを決定するステップと、前記第１装置は前記第２タイマーの設定時間長さを指示するための第６情報を前記第２装置に送信するステップと、をさらに含み、前記第１タイマーを起動することは、前記第１装置は前記第２装置に前記第６情報を送信した後、前記第１タイマーを起動するステップ、又は、前記第１装置は前記第２装置に前記第６情報を送信し、且つ前記第２装置の送信した、前記第２装置が前記第２接続状態を開始すると決定することを指示するための第７情報を受信した後、前記第１タイマーを起動するステップを含む。
【０１２３】
具体的には、第１装置は前記第５情報を含む前記レイヤ２ＰＤＵを受信した後、第２装置が前記第１装置と前記第２装置の接続状態を第１接続状態から第２接続状態に切り替えることを要求することを取得でき、第１装置は第５情報を含む前記レイヤ２ＰＤＵに基づき、前記第１装置と前記第２装置が第２接続状態にある必要があると決定でき、更に第１装置は前記第１タイマーを起動できる。
【０１２４】
なお、前記第１装置は前記第６情報に基づき、前記第１タイマーを起動できる。換言すれば、第１装置は第２タイマーに設定した設定時間長さに基づき第１タイマーを起動することで、第１装置と第２装置と第２装置を同時に第１接続状態から第２接続状態に切り替えることができる。
【０１２５】
なお、前記第６情報の確認が必要がない場合、前記第１装置は前記レイヤ２ＰＤＵを受信し、且つ前記第２装置に前記第６情報を送信した後、前記第１タイマーを起動し、前記第６情報の確認が必要がある場合、前記第１装置は前記第２装置に前記第６情報を送信し、且つ前記第２装置の送信した第７情報を受信した後、前記第１タイマーを起動する。前記第３情報と前記第６情報は異なる情報であってもよく、同じ情報（又は同じフィールドにベアラされた情報）であってもよい。たとえば、前記第６情報は、前記第２タイマーの設定時間長さを指示するだけでなく、前記第１装置が前記第２接続状態を開始すると決定することを指示する。
【０１２６】
なお、第１装置の受信又は送信した情報の確認が必要があるか否かは、第１装置と第２装置が予め合意されてもよい。第１装置の受信又は送信した情報が確認が必要がないと、情報の複数回の伝送によってデータ又はシグナリングの正確的な受信を確保できる。たとえば、第２装置が第１装置に複数の前記レイヤ２ＰＤＵを送信することで、第１装置が前記レイヤ２ＰＤＵを正確に受信でき、この場合、第１装置は第２装置に第３情報を送信する必要がなく、第１装置は前記レイヤ２ＰＤＵを受信した後、第１タイマーを起動し、対応する第２装置は複数の前記レイヤ２ＰＤＵを送信した後に第２タイマーを起動する。第１装置の受信又は送信した情報の確認が必要がある場合、第１装置は対応する確認情報（たとえば第３情報又は第６情報の送信）を送信又は受信した後、第１タイマーを起動する。
【０１２７】
選択的に、一例として、前記第１装置が第２装置の送信したレイヤ２ＰＤＵを受信した後、前記通信方法１００は、前記第１装置は前記第１装置が前記レイヤ２ＰＤＵを正確に受信することを指示するための第８情報を前記第２装置に送信するステップ、及び／又は前記第１装置は前記第１装置と前記第２装置の必要な接続状態を指示するための第９情報を前記第２装置に送信するステップをさらに含む。
【０１２８】
前記第１装置が前記第２装置に前記第８情報を送信することで、前記第２装置が前記レイヤ２ＰＤＵを重複送信することを回避でき、シグナリングのオーバーヘッドを減らし、前記第１装置が前記第２装置に第９情報を送信することで、前記第２装置に必要な接続状態をタイムリーに通知し、前記第２装置が接続状態の切替をタイムリーに実行でき、それにより前記第２装置の消費電力を低減させる。
【０１２９】
選択的に、前記第１装置は上位層シグナリング、ＰＤＵ又は物理層シグナリング過程によって前記第２装置に前記第９情報を送信する。
【０１３０】
選択的に、一例として、前記第１情報、前記第２情報、前記第４情報又は前記第５情報をベアラするための指示フィールドは前記レイヤ２ＰＤＵのヘッダーに位置してもよく、前記レイヤ２ＰＤＵのテールに位置してもよく、前記レイヤ２ＰＤＵの任意の位置に位置してもよい（換言すれば、前記指示フィールドは前記レイヤ２ＰＤＵのヘッダーフィールド又はテールフィールドであってもよい）。前記指示フィールドはＰＤＵの中の追加したフィールドであってもよく、ＰＤＵの中の特殊値を含む既存フィールドであってもよく、それについて本発明では限定しない。
【０１３１】
上記情報が前記レイヤ２ＰＤＵのヘッダー又はテールに位置すると、第１装置は前記レイヤ２ＰＤＵを受信した後、上記情報を迅速に取得でき、それにより第１装置は前記第１装置と前記第２装置の必要な接続状態を高効率に決定できる。
【０１３２】
選択的に、一例として、前記第１タイマーは、前記第４情報で指示される前記第１タイマーの設定時間長さを含む少なくとも１つの第１設定時間長さを設定し、前記第２タイマーは、前記第６情報で指示される前記第２タイマーの設定時間長さを含む少なくとも１つの第２設定時間長さを設定する。
【０１３３】
選択的に、一例として、前記第１タイマーの設定時間長さ及び／又は前記第２タイマーの設定時間長さはネットワーク側装置によって設定され又はプロトコルによって合意され、前記第１タイマーの設定時間長さ及び／又は前記第２タイマーの設定時間長さは端末に基づき設定され又は前記端末のベアラに基づき設定される。タイマーの設定時間長さが端末のベアラに基づき設定されることについて、詳細は後述する。
【０１３４】
以上、本発明の一実施例に係る通信方法を説明したが、以下、本発明の別の実施例に係る通信方法を説明する。
【０１３５】
図５は本発明の別の実施例に係る通信方法の概略フローチャートであり、図５に示すように、前記通信方法２００は、
Ｓ２１０、第２装置は前記第１通信装置が前記第１装置と前記第２装置の必要な接続状態を決定するためのレイヤ２ＰＤＵを生成するステップと、
Ｓ２２０、前記第２装置は前記第１装置に前記レイヤ２ＰＤＵを送信するステップと、を含む。
【０１３６】
具体的には、第２装置により生成されるレイヤ２ＰＤＵは前記第１装置が前記必要な接続状態を決定することに使用でき、前記第２装置が前記レイヤ２ＰＤＵを送信するプロセスは比較的簡単で、通信の複雑さを軽減させ、システムのオーバーヘッドを減らし、遅延を短縮させることができる。更に、該技術案では実行主体が様々であり、第２装置が端末装置であるかネットワーク側装置であるかに関わらず、第１装置に前記レイヤ２ＰＤＵを送信でき、それにより第１装置が必要な接続状態をタイムリーに決定できる。
【０１３７】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０１３８】
選択的に、一例として、前記第２装置がレイヤ２ＰＤＵを生成することは、前記第２装置が第１装置と第２装置の間で現在データパケット伝送を行っている否か及び／又は第１装置と第２装置の間の後続のデータ伝送の有無に基づき、前記レイヤ２ＰＤＵを生成するステップを含む。
【０１３９】
具体的には、第２装置が第１装置と第２装置の間での伝送状況に基づき、前記レイヤ２ＰＤＵを生成できることで、第１装置は前記レイヤ２ＰＤＵに基づき前記必要な接続状態をタイムリーかつ正確に決定できる。
【０１４０】
選択的に、一例として、前記第２装置が第１装置と第２装置の間で現在データパケット伝送を行っている否か及び／又は第１装置と第２装置の間の後続のデータ伝送の有無に基づき、前記レイヤ２ＰＤＵを生成することは、前記第１装置と前記第２装置の間で現在データパケット伝送を行っている場合、前記第２装置は前記データパケットを含む前記レイヤ２ＰＤＵを生成するステップと、前記第１装置と前記第２装置の間で現在データパケット伝送を行っていない場合、前記第２装置はデータパケットを含まない前記レイヤ２ＰＤＵを生成するステップと、前記第１装置と前記第２装置の間の後続のデータ伝送がない場合、前記第２装置は前記第１装置と前記第２装置の間の後続のデータ伝送がないことを指示するための第１情報を含む前記レイヤ２ＰＤＵを生成するステップと、前記第１装置と前記第２装置の間の後続のデータ伝送がある場合、前記第２装置は前記第１装置と前記第２装置の間の後続のデータ伝送があることを指示するための第１情報を含む前記レイヤ２ＰＤＵを生成するステップと、を含む。
【０１４１】
選択的に、一例として、前記通信方法は、前記第２装置は前記第１装置と前記第２装置の必要な接続状態を決定するステップをさらに含み、前記第２装置がレイヤ２ＰＤＵを生成することは、前記第２装置は前記第１装置と前記第２装置の必要な接続状態を指示するための第２情報を含む前記レイヤ２ＰＤＵを生成するステップを含む。
【０１４２】
選択的に、一例として、前記第１装置と前記第２装置が現在第１接続状態にあり、前記第１装置と前記第２装置の必要な接続状態が第２接続状態であり、前記通信方法は、前記第２装置は前記レイヤ２ＰＤＵを送信した後、第２タイマーを起動し、又は、前記第２装置は前記第１装置の送信した、前記第１装置が前記第２接続状態を開始すると決定することを指示するための第３情報を受信した後、第２タイマーを起動するステップと、前記第２タイマーがタイムアウトすると、前記第２装置は前記接続状態を前記第１接続状態から前記第２接続状態に切り替えるステップと、をさらに含む。
【０１４３】
選択的に、一例として、前記第２装置は前記第１装置の第１タイマーの設定時間長さを指示するための第４情報を含む前記レイヤ２ＰＤＵを生成し、それにより前記第１装置は前記第４情報に基づき前記第１タイマーを起動する。
【０１４４】
なお、前記第２装置は前記第４情報に基づき、前記第２タイマーを起動できる。換言すれば、第２装置は第１タイマーに設定した設定時間長さに基づき第２タイマーを起動することで、第１装置と第２装置を第１接続状態から第２接続状態に同時に切り替えることができる。
【０１４５】
選択的に、一例として、前記レイヤ２ＰＤＵは第５情報を含み、前記第２装置がレイヤ２ＰＤＵを生成することは、前記第２装置は前記第２タイマーの設定時間長さの取得を要求するための第５情報を含む前記レイヤ２ＰＤＵを生成するステップを含み、前記通信方法は、前記第２装置は前記第１装置の送信した、前記第２タイマーの設定時間長さを指示するための第６情報を受信するステップをさらに含み、前記第２タイマーを起動することは、前記第２装置は前記第１装置の送信した前記第６情報を受信した後、前記第６情報に基づき前記第２タイマーを起動するステップ、又は前記第２装置は前記第１装置の送信した前記第６情報を受信し、且つ前記第２装置が前記第２接続状態を開始すると決定することを指示するための第７情報を前記第１装置に送信した後、前記第６情報に基づき前記第２タイマーを起動するステップを含む。
【０１４６】
選択的に、一例として、前記第２装置が前記第１装置に前記レイヤ２ＰＤＵを送信した後、前記通信方法は、前記第２装置は前記第１装置の送信した、前記第１装置が前記レイヤ２ＰＤＵを正確に受信することを指示するための第８情報を受信するステップ、又は前記第２装置は前記第１装置の送信した、前記第１装置と前記第２装置の必要な接続状態を指示するための第９情報を受信するステップをさらに含む。
【０１４７】
なお、該通信方法２００における第２装置は上記通信方法１００における第２装置に対応し、該通信方法２００における第１装置は上記通信方法１００における第１装置に対応し、該通信方法２００におけるレイヤ２ＰＤＵ、第１タイマー、第２タイマー及びレイヤ２ＰＤＵに含まれる種々の情報の関連説明は通信方法１００における関連説明を参照すればよく、簡潔にするために、本発明では、ここで重複説明を省略する。
【０１４８】
図６は本発明により実施される通信方法のインタラクションフローチャートである。本発明の実施例の各用語についての説明は上記各実施例と同様である。
【０１４９】
注意すべきなのは、これは当業者が本願の実施例をよく理解するためのものであり、本願の実施例の範囲を限定しない。且つ、これらのステップ又は操作は一例に過ぎず、本発明の実施例では、ほかの操作、又は図６中の各操作の変形をさらに実行してもよい。また、図６中の各ステップは図６と異なる順序で実行されてもよく、且つ必ずしも図６中のすべての操作を実行しない。
【０１５０】
３１０、第２装置は前記レイヤ２ＰＤＵを生成する。
【０１５１】
３２０、第２装置は前記第１装置に前記レイヤ２ＰＤＵを送信する。
【０１５２】
３３０、第１装置は前記レイヤ２ＰＤＵに基づき、前記第１装置と前記第２装置の必要な接続状態を決定する。
【０１５３】
前記第１装置と前記第２装置が現在第１接続状態にあり、前記第１装置と前記第２装置の必要な接続状態が前記第１接続状態である場合、前記第１装置は前記第１接続状態を維持する。
【０１５４】
前記第１装置と前記第２装置が現在第１接続状態にあり、前記第１装置と前記第２装置の必要な接続状態が第２接続状態である場合、前記レイヤ２ＰＤＵの確認が必要がないと、Ｓ３３０を実行した後、３４０と３５０を実行し、前記レイヤ２ＰＤＵの確認が必要があると、Ｓ３３０を実行した後、３６０、３７０及び３８０を実行する。
【０１５５】
３４０、第１装置は前記レイヤ２ＰＤＵを受信した後、第１タイマーを起動する。
【０１５６】
３５０、第２装置は前記レイヤ２ＰＤＵを送信した後、第２タイマーを起動する。
【０１５７】
３６０、第１装置は第２装置に第３情報を送信する。
【０１５８】
３７０、第１装置は前記第２装置に第３情報を送信した後、第１タイマーを起動する。
【０１５９】
３８０、前記第２装置は前記第１装置の送信した第３情報を受信した後、第２タイマーを起動する。
【０１６０】
なお、第１装置と第２装置が対応するタイマーを起動する時点はプロトコルに基づき合意される。
【０１６１】
たとえば、第１装置と第２装置は前記レイヤ２ＰＤＵを確認する必要がなく、且つ前記レイヤ２ＰＤＵをタイマーのトリガーに使用することに合意し、前記第２装置は前記レイヤ２ＰＤＵを送信した後、第２タイマーを起動し、前記第１装置は前記レイヤ２ＰＤＵを受信した後、第１タイマーを起動する。換言すれば、第１装置と第２装置の間でレイヤ２ＰＤＵの伝送がある限り、前記レイヤ２ＰＤＵのコンテンツに関わらず、対応するタイマーを起動する。
【０１６２】
また、たとえば、第１装置と第２装置は前記レイヤ２ＰＤＵを確認する必要がなく、且つ接続状態の切替が発生したと決定すると、タイマーを起動することに合意する。この時、第２装置は前記レイヤ２ＰＤＵを送信する前、接続状態の切替が必要があると決定し、それにより前記レイヤ２ＰＤＵを送信した後、前記第２タイマーを起動し、第１装置は前記レイヤ２ＰＤＵを受信した後、前記レイヤ２ＰＤＵに基づき、接続状態の切替が必要があると決定し、それにより前記レイヤ２ＰＤＵを受信した後、前記第１タイマーを起動する。
【０１６３】
それに対応して、第１装置と第２装置は前記レイヤ２ＰＤＵを確認する必要があることに合意し、更に前記第１装置が前記第３情報を送信した後、前記第１タイマーを起動し、前記第２装置が前記第３情報を受信した後、前記第２タイマーを起動する。
【０１６４】
なお、第１装置と第２装置の接続状態が第１接続状態から第２接続状態に切り替わると、第１装置が第１タイマーを起動し、第２装置が第２タイマーを起動し、且つ第１タイマーの設定時間長さと第２タイマーの設定時間長さが同じであり、それにより第１装置と第２装置が第１接続状態から第２接続状態に同時に入ることができる。該技術案では、第１装置と第２装置はプロトコルに基づいて設定時間長さを合意し又はほかの方式によって設定時間長さを取得でき、具体的には、本発明の実施例の関連説明を参照すればよく、ここで重複説明を省略する。
【０１６５】
図７は別の実施例に係る通信方法の概略フローチャートである。前記通信方法の実行主体は第１装置又は第２装置であってもよく、図７に示すように、前記通信方法４００は、
Ｓ４１０タイマーを起動するステップと、
Ｓ４２０前記タイマーがタイムアウトすると、前記第１装置と前記第２装置の接続状態を第１接続状態から第２接続状態に切り替えるステップと、を含む。
【０１６６】
該技術案では、該第１装置又は第２装置がタイマーに基づき、第１接続状態を第２接続状態に切り替えることができ、指示用の複雑なシグナリングが不要であり、シグナリングのオーバーヘッドを減らし、互換性及び拡張性に優れる。
【０１６７】
なお、該通信方法４００の実行主体が第１装置である場合、第１装置は第１装置のタイマー（すなわち第１タイマー）を起動し、該技術案の実行主体が第２装置である場合、第２装置は第２装置のタイマー（すなわち第２タイマー）を起動する。第１装置又は第２装置のタイマー及びタイマーの起動についての関連説明は本発明の実施例の関連説明を参照すればよく、ここで重複説明を省略する。
【０１６８】
選択的に、一例として、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０１６９】
選択的に、一例として、前記タイマーを起動することは、前記第１装置が前記第２装置にデータパケット又はシグナリングを送信した後、前記タイマーを起動するステップ、又は前記第１装置が前記第２装置の送信した前記データパケット又は前記シグナリングの第１情報を受信した後、前記タイマーを起動するステップを含み、前記第１情報は、前記第２装置が前記データパケット又は前記シグナリングを正確に受信することを指示することに用いられる。選択的に、該技術案の実行主体は第１装置であってもよく、前記第１装置と第２装置の間の無線ベアラの確立が完了した後、前記タイマーを起動する。
【０１７０】
選択的に、一例として、前記タイマーを起動することは、前記第２装置は前記第２装置の送信したデータパケット又はシグナリングを受信した後、前記タイマーを起動するステップ、又は前記第１装置は前記データパケット又は前記シグナリングに対応する第２情報を前記第２装置に送信した後、前記タイマーを起動し、前記第２情報は前記第１装置が前記データパケット又は前記シグナリングを正確に受信することを指示することに用いられるステップ、又は前記第１装置は前記第１装置と第２装置の間の無線ベアラの確立が完了した後、タイマーを起動するステップを含む。選択的に、該技術案の実行主体は第２装置であってもよい。
【０１７１】
選択的に、一例として、前記第１装置と前記第２装置の間のすべての無線ベアラは単一のタイマーに対応し、前記第１装置は前記第１装置と第２装置の間の無線ベアラの確立が完了した後、タイマーを起動することは、
前記第１装置と第２装置の間のすべての無線ベアラの確立が完了した後、前記タイマーを起動するステップを含む。
【０１７２】
選択的に、一例として、前記第１装置と前記第２装置の間のすべての無線ベアラの各無線ベアラは１つのタイマーに対応し、前記第１装置と前記第２装置の間の無線ベアラの確立が完了した後、タイマーを起動することは、前記第１装置と前記第２装置の間の各無線ベアラの確立が完了した後、対応するタイマーを起動するステップを含み、前記タイマーの設定時間がタイムアウトすると、前記第１装置と前記第２装置の接続状態を第１接続状態から第２接続状態に切り替えることは、前記すべての無線ベアラに対応するすべてのタイマーがタイムアウトすると、前記第１装置と前記第２装置の接続状態を第１接続状態から第２接続状態に切り替えるステップを含む。
【０１７３】
たとえば、仮に第１装置と第２装置の間に合計８個の無線ベアラを有する場合、前記８個の無線ベアラが８個のタイマーに対応し、８個の無線ベアラの各無線ベアラの確立が完了した後、対応するタイマーを起動し、８個の無線ベアラのうちすべての無線ベアラに対応するタイマーがタイムアウトすると、前記第１装置と前記第２装置は前記第１装置と前記第２装置の接続状態を第１接続状態から第２接続状態に切り替える。
【０１７４】
なお、上記通信方法４００におけるタイマー及びタイマーの起動等についての関連説明は、同様に上記通信方法１００と通信方法２００に適用できる。
【０１７５】
以上、図１〜図７を参照して本発明の実施例の通信方法を詳細に説明したが、以下、図８〜図１３を参照して、本発明の実施例に係る通信装置と通信機器を詳細に説明する。図８は本発明の一実施例に係る通信装置５００の概略ブロック図である。図８に示すように、通信装置５００は第１装置であり、前記通信装置５００は、
第２装置の送信したレイヤ２プロトコルデータユニットＰＤＵを受信する受信モジュール５１０と、
前記レイヤ２ＰＤＵに基づき、前記第１装置と前記第２装置の必要な接続状態を決定する決定モジュール５２０と、を備える。
【０１７６】
該通信装置が前記レイヤ２ＰＤＵを解析するプロセスは比較的簡単で、通信の複雑さを軽減させ、システムのオーバーヘッドを減らし、解析遅延を短縮させることができ、更に、該技術案は様々な通信装置間の接続状態の決定に適用でき、柔軟性が高く、互換性及び拡張性に優れ、また更に、該技術案では実行主体が様々であり、通信装置が端末装置であるかネットワーク側装置であるかに関わらず、接続状態の切替が必要がある時、接続状態の切替をタイムリーに実行できる。
【０１７７】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０１７８】
選択的に、一例として、前記決定モジュール５２０は具体的には、前記レイヤ２ＰＤＵにデータパケットが含まれるか否か又は前記レイヤ２ＰＤＵに含まれる第１情報に基づき、前記第１装置と前記第２装置の必要な接続状態を決定し、前記第１情報は前記第１装置と前記第２装置の間の後続のデータ伝送の有無を指示することに用いられる。
【０１７９】
選択的に、一例として、前記決定モジュール５２０は具体的には、前記第１情報が前記第１装置と前記第２装置の間の後続のデータ伝送があることを指示する場合、前記第１装置と前記第２装置が第１接続状態にある必要があると決定し、前記第１情報が前記第１装置と前記第２装置の間の後続のデータ伝送がないことを指示する場合、前記第１装置と前記第２装置が第２接続状態にある必要があると決定する。
【０１８０】
選択的に、一例として、前記決定モジュール５２０は具体的には、前記レイヤ２ＰＤＵにデータパケットが含まれる場合、前記第１装置と前記第２装置が第１接続状態にある必要があると決定し、前記レイヤ２ＰＤＵにデータパケットが含まれていない場合、前記第１装置と前記第２装置が第２接続状態にある必要があると決定する。
【０１８１】
選択的に、一例として、前記レイヤ２ＰＤＵは、前記第１装置と前記第２装置の必要な接続状態を指示するための第２情報を含み、前記決定モジュール５２０は具体的には、前記レイヤ２ＰＤＵに含まれる第２情報に基づき、前記第２装置と前記第２装置の必要な接続状態を決定する。
【０１８２】
選択的に、一例として、前記第１装置と前記第２装置が現在第１接続状態にあり、前記第１装置と前記第２装置の必要な接続状態が第２接続状態であり、前記通信装置５００は、前記受信モジュール５１０が前記レイヤ２ＰＤＵを受信した後、第１タイマーを起動する処理モジュールをさらに備え、又は前記通信装置５００は、前記第２装置に第３情報を送信する送信モジュールをさらに備え、前記処理モジュールは、前記送信モジュールが第３情報を送信した後、第１タイマーを起動し、前記第３情報は前記第１装置が前記第２接続状態を開始すると決定することを指示することに用いられ、前記処理モジュールはさらに、前記第１タイマーがタイムアウトすると、前記接続状態を前記第１接続状態から前記第２接続状態に切り替える。
【０１８３】
選択的に、一例として、前記レイヤ２ＰＤＵは前記第１タイマーの設定時間長さを指示するための第４情報を含み、前記処理モジュールは具体的には、前記第４情報に基づき、前記第１タイマーを起動する。
【０１８４】
選択的に、一例として、前記レイヤ２ＰＤＵは第２装置の第２タイマーの設定時間長さの取得を要求するための第５情報を含み、前記決定モジュール５２０はさらに、前記第２タイマーの設定時間長さを決定し、前記送信モジュールはさらに、前記第２タイマーの設定時間長さを指示するための第６情報を前記第２装置に送信し、前記処理モジュールは具体的には、前記送信モジュールが前記第２装置に前記第６情報を送信した後、前記第１タイマーを起動し、又は前記送信モジュールが前記第２装置に前記第６情報を送信し、且つ前記受信モジュール５１０が前記第２装置の送信した、前記第２装置が前記第２接続状態を開始すると決定することを指示するための第７情報を受信した後、前記第１タイマーを起動する。
【０１８５】
選択的に、一例として、前記通信装置は、前記第１装置が前記レイヤ２ＰＤＵを正確に受信することを指示するための第８情報を前記第２装置に送信し、及び／又は、前記第１装置と前記第２装置の必要な接続状態を指示するための第９情報を前記第２装置に送信する送信モジュールをさらに備える。
【０１８６】
なお、該通信装置５００は本発明の実施例に係る通信方法における第１装置に対応し、且つ該通信装置５００の各モジュール及び上記ほかの操作又は機能はそれぞれ図１〜図６に示される各実施例における第１装置の実行した対応するプロセスを実現し、簡潔にするように、ここで重複説明を省略する。
【０１８７】
図９は本発明のさらに別の実施例に係る通信装置６００の概略ブロック図である。図９に示すように、通信装置６００は、
前記第１通信装置が前記第１装置と前記第２装置の必要な接続状態を決定するためのレイヤ２プロトコルデータユニットＰＤＵを生成する生成モジュール６１０と、
前記第１装置に前記レイヤ２ＰＤＵを送信する送信モジュール６２０と、を備える。
【０１８８】
該通信装置が前記レイヤ２ＰＤＵを送信するプロセスは比較的簡単で、通信の複雑さを軽減させ、システムのオーバーヘッドを減らし、遅延を短縮させることができる。更に、該技術案では実行主体が様々であり、該通信装置が端末装置であるかネットワーク側装置であるかに関わらず、第１装置に前記レイヤ２ＰＤＵを送信でき、それにより第１装置は必要な接続状態をタイムリーに決定できる。
【０１８９】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０１９０】
選択的に、前記生成モジュール６１０は具体的には、第１装置と第２装置の間で現在データパケット伝送を行っているか否か及び／又は第１装置と第２装置の間の後続のデータ伝送の有無に基づき、前記レイヤ２ＰＤＵを生成する。
【０１９１】
選択的に、前記生成モジュール６１０は具体的には、前記第１装置と前記第２装置の間で現在データパケット伝送を行っている場合、前記データパケットを含む前記レイヤ２ＰＤＵを生成し、前記第１装置と前記第２装置の間で現在データパケット伝送を行っていない場合、データパケットを含まない前記レイヤ２ＰＤＵを生成し、前記第１装置と前記第２装置の間の後続のデータ伝送がない場合、前記第１装置と前記第２装置の間の後続のデータ伝送がないことを指示するための第１情報を含む前記レイヤ２ＰＤＵを生成し、前記第１装置と前記第２装置の間の後続のデータ伝送がある場合、前記第１装置と前記第２装置の間の後続のデータ伝送があることを指示するための第１情報を含む前記レイヤ２ＰＤＵを生成する。
【０１９２】
選択的に、前記通信装置６００は、前記第１装置と前記第２装置の必要な接続状態を決定する決定モジュールをさらに備え、前記生成モジュール６１０は具体的には、前記第１装置と前記第２装置の必要な接続状態を指示するための第２情報を含む前記レイヤ２ＰＤＵを生成する。
【０１９３】
選択的に、一例として、前記第１装置と前記第２装置が現在第１接続状態にあり、前記第１装置と前記第２装置の必要な接続状態が第２接続状態であり、前記通信装置６００は、前記送信モジュール６２０が前記レイヤ２ＰＤＵを送信した後、第２タイマーを起動する処理モジュールをさらに備え、又は、前記通信装置は、前記第１装置の送信した第３情報を受信する受信モジュールをさらに備え、前記処理モジュールは前記受信モジュールが前記第３情報を受信した後、第２タイマーを起動し、前記第３情報は前記第１装置が前記第２接続状態を開始すると決定することを指示することに用いられ、前記処理モジュールはさらに、前記第２タイマーがタイムアウトすると、前記接続状態を前記第１接続状態から前記第２接続状態に切り替える。
【０１９４】
選択的に、一例として、前記生成モジュール６１０は具体的には、前記第１装置の第１タイマーの設定時間長さを指示するための第４情報を含む前記レイヤ２ＰＤＵを生成し、それにより前記第１装置は前記第４情報に基づき前記第１タイマーを起動する。
【０１９５】
選択的に、一例として、前記生成モジュール６１０は具体的には、前記第２タイマーの設定時間長さの取得を要求するための第５情報を含む前記レイヤ２ＰＤＵを生成し、前記受信モジュールはさらに、前記第１装置の送信した、前記第２タイマーの設定時間長さを指示するための第６情報を受信し、前記処理モジュールは具体的には、前記受信モジュールが前記第６情報を受信した後、前記第６情報に基づき前記第２タイマーを起動し、又は、前記受信モジュールが前記第１装置の送信した前記第６情報を受信し、且つ前記送信モジュール６２０が前記第１装置に第７情報を送信した後、前記第６情報に基づき前記第２タイマーを起動し、前記第７情報は、前記第２装置が前記第２接続状態を開始すると決定することを指示することに用いられる。
【０１９６】
選択的に、一例として、前記通信装置６００は、前記第１装置の送信した、前記第１装置が前記レイヤ２ＰＤＵを正確に受信することを指示するための第８情報を受信し、又は前記第１装置の送信した、前記第１装置と前記第２装置の必要な接続状態を指示するための第９情報を受信する受信モジュールを備える。
【０１９７】
なお、該通信装置６００は本発明の実施例に係る通信方法における第２装置に対応し、且つ該通信装置６００の各モジュール及び上記ほかの操作又は機能はそれぞれ図１〜図６に示される各実施例における第２装置の実行した対応するプロセスを実現し、簡潔にするように、ここで重複説明を省略する。
【０１９８】
図１０は本発明の別の実施例に係る通信装置７００の概略ブロック図である。図１０に示すように、通信装置７００は、
タイマーを起動する第１処理モジュール７１０と、
前記タイマーがタイムアウトすると、前記第１装置と前記第２装置の接続状態を第１接続状態から第２接続状態に切り替える第２処理モジュール７２０と、を備える。
【０１９９】
通信装置はタイマーに基づき第１接続状態を第２接続状態に切り替えることができ、該技術案は制御しやすく、互換性及び拡張性に優れる。
【０２００】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０２０１】
選択的に、一例として、前記第１処理モジュール７１０は具体的には、前記第１装置が前記第２装置にデータパケット又はシグナリングを送信した後、前記タイマーを起動し、又は前記第１装置が前記第２装置の送信した前記データパケット又は前記シグナリングの第１情報を受信した後、前記タイマーを起動し、前記第１情報は、前記第２装置が前記データパケット又は前記シグナリングを正確に受信することを指示することに用いられる。
【０２０２】
選択的に、一例として、前記第１処理モジュール７１０は具体的には、第２装置が前記第１装置の送信したデータパケット又はシグナリングを受信した後、前記タイマーを起動し、又は前記第２装置が前記データパケット又は前記シグナリングに対応する第２情報でを前記第１装置に送信した後、前記タイマーを起動し、前記第２情報は前記第１装置が前記データパケット又は前記シグナリングを正確に受信することを指示することに用いられ、又は前記第１装置と第２装置の間の無線ベアラの確立が完了した後、前記タイマーを起動する。
【０２０３】
選択的に、一例として、前記第１装置と前記第２装置の間のすべての無線ベアラは単一のタイマーに対応し、前記第１処理モジュール７１０は具体的には、前記第１装置と第２装置の間のすべての無線ベアラの確立が完了した後、前記タイマーを起動する。
【０２０４】
選択的に、一例として、前記第１装置と前記第２装置の間のすべての無線ベアラの各無線ベアラは１つのタイマーに対応し、前記第１処理モジュール７１０は具体的には、前記第１装置と前記第２装置の間の各無線ベアラの確立が完了した後、対応するタイマーを起動し、前記第２処理モジュール７２０は具体的には、前記すべての無線ベアラに対応するすべてのタイマーがタイムアウトすると、前記第１装置と前記第２装置の接続状態を第１接続状態から第２接続状態に切り替える。
【０２０５】
なお、該通信装置７００は本発明の実施例に係る通信方法４００の実行主体に対応し、且つ該通信装置７００の各モジュール及び上記ほかの操作又は機能はそれぞれ図７に示される各実施例に係る通信方法４００の実行した対応するプロセスを実現し、簡潔にするように、ここで重複説明を省略する。
【０２０６】
図１１は本発明のさらに別の実施例に係る通信機器８００の概略ブロック図である。図１１に示すように、前記通信機器８００は、送受信機８１０、メモリ８２０、プロセッサ８３０及びバスシステム８４０を備える。送受信機８１０、メモリ８２０及びプロセッサ８３０はバスシステム８４０によって接続され、メモリ８２０は命令を記憶し、プロセッサ８３０はメモリ８２０に記憶された命令を実行して、送受信機８１０が信号を送受信するように制御し、
該送受信機８１０は、第２装置の送信したレイヤ２プロトコルデータユニットＰＤＵを受信し、
該プロセッサ８３０は、前記レイヤ２ＰＤＵに基づき、前記第１装置と前記第２装置の必要な接続状態を決定する。
【０２０７】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０２０８】
選択的に、一例として、前記プロセッサ８３０は具体的には、前記レイヤ２ＰＤＵにデータパケットが含まれるか否か又は前記レイヤ２ＰＤＵに含まれる第１情報に基づき、前記第１装置と前記第２装置の必要な接続状態を決定し、前記第１情報は前記第１装置と前記第２装置の間の後続のデータ伝送の有無を指示することに用いられる。
【０２０９】
選択的に、一例として、前記プロセッサ８３０は具体的には、前記第１情報が前記第１装置と前記第２装置の間の後続のデータ伝送があることを指示する場合、前記第１装置と前記第２装置が第１接続状態にある必要があると決定し、前記第１情報が前記第１装置と前記第２装置の間の後続のデータ伝送がないことを指示する場合、前記第１装置と前記第２装置が第２接続状態にある必要があると決定する。
【０２１０】
選択的に、一例として、前記プロセッサ８３０は具体的には、前記レイヤ２ＰＤＵにデータパケットが含まれる場合、前記第１装置と前記第２装置が第１接続状態にある必要があると決定し、前記レイヤ２ＰＤＵにデータパケットが含まれていない場合、前記第１装置と前記第２装置が第２接続状態にある必要があると決定する。
【０２１１】
選択的に、一例として、前記レイヤ２ＰＤＵは、前記第１装置と前記第２装置の必要な接続状態を指示するための第２情報を含み、前記プロセッサ８３０は具体的には、前記レイヤ２ＰＤＵに含まれる第２情報に基づき、前記第２装置と前記第２装置の必要な接続状態を決定する。
【０２１２】
選択的に、一例として、前記第１装置と前記第２装置が現在第１接続状態にあり、前記第１装置と前記第２装置の必要な接続状態が第２接続状態であり、前記プロセッサ８３０はさらに、前記送受信機８１０が前記レイヤ２ＰＤＵを受信した後、第１タイマーを起動し、又は前記送受信機８１０はさらに第３情報を前記第２装置に送信し、前記プロセッサ８３０はさらに前記送受信機８１０が第３情報を送信した後、前記第１タイマーを起動し、前記第３情報は前記第１装置が前記第２接続状態を開始すると決定することを指示することに用いられ、前記プロセッサ８３０はさらに、前記第１タイマーがタイムアウトすると、前記接続状態を前記第１接続状態から前記第２接続状態に切り替える。
【０２１３】
選択的に、一例として、前記レイヤ２ＰＤＵは前記第１タイマーの設定時間長さを指示するための第４情報を含み、前記プロセッサ８３０は具体的には、前記第４情報に基づき、前記第１タイマーを起動する。
【０２１４】
選択的に、一例として、前記レイヤ２ＰＤＵは第２装置の第２タイマーの設定時間長さの取得を要求するための第５情報を含み、前記プロセッサ８３０はさらに、前記第２タイマーの設定時間長さを決定し、前記送受信機８１０はさらに、前記第２タイマーの設定時間長さを指示するための第６情報を前記第２装置に送信し、前記プロセッサ８３０は具体的には、前記送受信機８１０が前記第２装置に前記第６情報を送信した後、前記第１タイマーを起動し、又は前記送受信機８１０が前記第２装置に前記第６情報を送信し、且つ前記送受信機８１０が前記第２装置の送信した第７情報を受信した後、前記第１タイマーを起動し、前記第７情報は、前記第２装置が前記第２接続状態を開始すると決定することを指示することに用いられる。
【０２１５】
選択的に、前記送受信機８１０はさらに、前記第１装置が前記レイヤ２ＰＤＵを正確に受信することを指示するための第８情報を前記第２装置に送信し、及び／又は、前記第１装置と前記第２装置の必要な接続状態を指示するための第９情報を前記第２装置に送信する。
【０２１６】
なお、該通信機器８００は本発明の実施例に係る通信方法における第１装置に対応し、且つ該通信機器８００の各モジュール及び上記ほかの操作又は機能はそれぞれ図１と図６に示される各実施例における第１装置の実行した対応するプロセスを実現し、簡潔にするように、ここで重複説明を省略する。
【０２１７】
図１２は本発明のさらに別の実施例に係る通信機器９００の概略ブロック図である。図１２に示すように、該通信機器９００は送受信機９１０、メモリ９２０、プロセッサ９３０及びバスシステム９４０を備える。送受信機９１０、メモリ９２０及びプロセッサ９３０はバスシステム９４０によって接続され、メモリ９２０は命令を記憶し、プロセッサ９３０はメモリ９２０に記憶された命令を実行して、送受信機９１０が信号を送受信するように制御し、
前記プロセッサ９３０は、前記第１通信装置が前記第１装置と前記第２装置の必要な接続状態を決定するためのレイヤ２プロトコルデータユニットＰＤＵを生成し、前記第１装置に前記レイヤ２ＰＤＵを送信する。
【０２１８】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０２１９】
選択的に、一例として、前記プロセッサ９３０は具体的には、第１装置と第２装置の間で現在データパケット伝送を行っているか否か及び／又は第１装置と第２装置の間の後続のデータ伝送の有無に基づき、前記レイヤ２ＰＤＵを生成する。
【０２２０】
選択的に、一例として、前記プロセッサ９３０は具体的には、前記第１装置と前記第２装置の間で現在データパケット伝送を行っている場合、前記データパケットを含む前記レイヤ２ＰＤＵを生成し、前記第１装置と前記第２装置の間で現在データパケット伝送を行っていない場合、データパケットを含まない前記レイヤ２ＰＤＵを生成し、前記第１装置と前記第２装置の間の後続のデータ伝送がない場合、前記第１装置と前記第２装置の間の後続のデータ伝送がないことを指示するための第１情報を含む前記レイヤ２ＰＤＵを生成し、前記第１装置と前記第２装置の間の後続のデータ伝送がある場合、前記第１装置と前記第２装置の間の後続のデータ伝送があることを指示するための第１情報を含む前記レイヤ２ＰＤＵを生成する。
【０２２１】
選択的に、一例として、前記プロセッサ９３０はさらに、前記第１装置と前記第２装置の必要な接続状態を決定し、前記プロセッサ９３０は具体的には、前記第１装置と前記第２装置の必要な接続状態を指示するための第２情報を含む前記レイヤ２ＰＤＵを生成する。
【０２２２】
選択的に、一例として、前記第１装置と前記第２装置が現在第１接続状態にあり、前記第１装置と前記第２装置の必要な接続状態が第２接続状態であり、前記プロセッサ９３０はさらに、前記送受信機９１０が前記レイヤ２ＰＤＵを送信した後、第２タイマーを起動し、又は前記送受信機９１０が前記第１装置の送信した、前記第１装置が前記第２接続状態を開始すると決定することを指示するための第３情報を受信した後、第２タイマーを起動し、前記第２タイマーがタイムアウトすると、前記接続状態を前記第１接続状態から前記第２接続状態に切り替える。
【０２２３】
選択的に、一例として、前記プロセッサ９３０は具体的には、前記第１装置の第１タイマーの設定時間長さを指示するための第４情報を含む前記レイヤ２ＰＤＵを生成し、それにより前記第１装置は前記第４情報に基づき前記第１タイマーを起動する。
【０２２４】
選択的に、一例として、前記プロセッサ９３０は具体的には、前記第２タイマーの設定時間長さの取得を要求するための第５情報を含む前記レイヤ２ＰＤＵを生成し、前記送受信機９１０はさらに、前記第１装置の送信した、前記第２タイマーの設定時間長さを指示するための第６情報を受信し、前記プロセッサ９３０は具体的には、前記送受信機９１０が前記第１装置の送信した前記第６情報を受信した後、前記第６情報に基づき前記第２タイマーを起動し、又は前記送受信機９１０が前記第１装置の送信した前記第６情報を受信し、且つ前記送受信機９１０が前記第１装置に第７情報を送信した後、前記第６情報に基づき前記第２タイマーを起動し、前記第７情報は、前記第２装置が前記第２接続状態を開始すると決定することを指示することに用いられる。
【０２２５】
選択的に、一例として、前記送受信機９１０はさらに、前記第１装置の送信した、前記第１装置が前記レイヤ２ＰＤＵを正確に受信することを指示するための第８情報を受信し、又は前記第１装置の送信した、前記第１装置と前記第２装置の必要な接続状態を指示するための第９情報を受信する。
【０２２６】
なお、該通信機器９００は本発明の実施例に係る通信方法における第２装置に対応し、且つ該通信機器９００の各モジュール及び上記ほかの操作又は機能はそれぞれ図１〜図６に示される各実施例における第２装置の実行した対応するプロセスを実現し、簡潔にするように、ここで重複説明を省略する。
【０２２７】
図１３は本発明の別の実施例に係る通信機器１０００の概略ブロック図である。図１３に示すように、前記通信機器１０００は送受信機１０１０、メモリ１０２０、プロセッサ１０３０及びバスシステム１０４０を備える。送受信機１０１０、メモリ１０２０及びプロセッサ１０３０はバスシステム１０４０によって接続され、メモリ１０２０は命令を記憶し、プロセッサ１０３０はメモリ１０２０に記憶された命令を実行し、送受信機１０１０が信号を送受信するように制御し、
前記プロセッサ１０３０は、タイマーを起動し、前記タイマーがタイムアウトすると、前記第１装置と前記第２装置の接続状態を第１接続状態から第２接続状態に切り替える。
【０２２８】
該通信装置はタイマーに基づき、第１接続状態を第２接続状態に切り替えることができ、該技術案は制御しやすく、互換性及び拡張性に優れる。
【０２２９】
選択的に、一例として、前記第１装置は端末装置であり、前記第２装置はネットワーク側装置であり、又は、前記第１装置はネットワーク側装置であり、前記第２装置は端末装置であり、前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態である。
【０２３０】
選択的に、一例として、前記プロセッサ１０３０は具体的には、前記第１装置が前記第２装置にデータパケット又はシグナリングを送信した後、前記タイマーを起動し、又は前記第１装置が前記第２装置の送信した前記データパケット又は前記シグナリングの第１情報を受信した後、前記タイマーを起動し、前記第１情報は、前記第２装置が前記データパケット又は前記シグナリングを正確に受信することを指示することに用いられる。
【０２３１】
選択的に、一例として、前記プロセッサ１０３０は具体的には、第２装置が前記第１装置の送信したデータパケット又はシグナリングを受信した後、前記タイマーを起動し、又は前記第２装置が前記データパケット又は前記シグナリングに対応する第２情報を前記第１装置に送信した後、前記タイマーを起動し、前記第２情報は前記第１装置が前記データパケット又は前記シグナリングを正確に受信することを指示することに用いられ、又は前記第１装置と第２装置の間の無線ベアラの確立が完了した後、前記タイマーを起動する。
【０２３２】
選択的に、一例として、前記第１装置と前記第２装置の間のすべての無線ベアラは単一のタイマーに対応し、前記プロセッサ１０３０は具体的には、前記第１装置と第２装置の間のすべての無線ベアラの確立が完了した後、前記タイマーを起動する。
【０２３３】
選択的に、一例として、前記第１装置と前記第２装置の間のすべての無線ベアラの各無線ベアラは１つのタイマーに対応し、前記プロセッサ１０３０は具体的には、前記第１装置と前記第２装置の間の各無線ベアラの確立が完了した後、対応するタイマーを起動し、前記すべての無線ベアラに対応するすべてのタイマーがタイムアウトすると、前記第１装置と前記第２装置の接続状態を第１接続状態から第２接続状態に切り替える。
【０２３４】
なお、前記通信機器１０００は本発明の実施例に係る通信方法４００における実行主体に対応し、且つ該通信機器１０００の各モジュール及び上記ほかの操作又は機能はそれぞれ図７に示される各実施例における通信方法４００の実行した対応するプロセスを実現し、簡潔にするように、ここで重複説明を省略する。
【０２３５】
なお、本発明の実施例では、プロセッサは汎用型中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ又は複数の集積回路を採用することによって、関連プログラムを実行して、本発明の実施例に係る技術案を実現する。
【０２３６】
該送受信機は移動端末装置とほかの装置又は通信ネットワークとの通信を実現できる。
【０２３７】
該メモリは読み出し専用メモリとランダムアクセスメモリを含み、プロセッサに命令とデータを提供できる。プロセッサの一部は不揮発性ランダムアクセスメモリをさらに含んでもよい。たとえば、プロセッサはさらに装置のタイプ情報を記憶できる。
【０２３８】
該バスシステムはデータバス以外、電源バス、制御バス及び状態信号バス等をさらに含んでもよい。明瞭に説明するために、図中、各種のバスをバスシステムと記す。
【０２３９】
実現の過程において、上記方法の各ステップはプロセッサのハードウェアの集積論理回路又はソフトウェア形態の命令によって行われる。本発明の実施例に開示されている通信方法は直接ハードウェアプロセッサによって実行され、又はプロセッサのハードウェア及びソフトウェアモジュールの組合せによって実行されてもよい。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野で成熟した記憶媒体に格納されてもよい。該記憶媒体はメモリに位置し、プロセッサはメモリの中の情報を読み取り、そのハードウェアと組み合わせて上記方法のステップを実行する。ここで重複説明を省略する。
【０２４０】
なお、本発明の実施例では、「Ａに対応するＢ」はＢとＡが関連付けられ、Ａに応じてＢを決定できることを示す。しかし、Ａに応じてＢを決定するとは、Ａのみに応じてＢを決定することを意味せず、Ａ及び／又はほかの情報に応じてＢを決定するようにしてもよいと理解すべきである。本明細書では、用語「及び／又は」は、関連対象の関係のみを示し、３種の関係が存在することを示し、たとえば、Ａ及び／又はＢの場合、Ａのみが存在すること、ＡとＢが同時に存在すること、Ｂのみが存在することという３種類を含むと理解すべきである。また、本明細書では、文字「／」は、一般にその前後の関連対象が「又は」の関係であることを示す。
【０２４１】
なお、本発明の種々の実施例では、上記各プロセスの番号は実行順序を示すものではなく、各プロセスの実行順序はその機能と内部ロジックで決めされ、本発明の実施例の実施過程を限定するものではない。
【０２４２】
当業者であれば、本明細書に開示されている実施例を参照して説明される各例のユニット及びアルゴリズムのステップは、電子ハードウェア、又はコンピュータソフトウェアと電子ハードウェアの組合せによって実現されると理解できる。これらの機能をハードウェアで実行するかソフトウェアで実行するかは、技術案の特定の応用と設計制約条件に決められる。当業者は説明した機能を特定の応用に応じて異なる方法で実現できるが、このような実現は本発明の範囲を超えていると見なすできではない。
【０２４３】
当業者であれば、説明の簡潔さと便宜上、上記説明されたシステム、装置及びユニットの具体的な動作プロセスは、上記方法の実施例の対応するプロセスを参照すればよく、ここで重複説明を省略すると理解できる。
【０２４４】
本願に係るいくつかの実施例では、開示されているシステム、装置及び方法は、ほかの形態によって実現できると理解できる。たとえば、上記説明された装置の実施例は単なる例示的なものに過ぎず、たとえば、該ユニットの分け方は単なるロジック機能分け方であり、実際、実施する時に、別の分け方を採用してもよく、たとえば、複数のユニット又は要素を組み合わせたり別のシステムに集積したりし、又は一部の特徴を無視したり実行しなかったりする。また、表示又は検討される相互結合又は直接結合又は通信接続はいくつかのインタフェース、装置又はユニットを介した間接結合又は通信接続であってもよく、電気的、機械的又はほかの形態としてもよい。
【０２４５】
前記分離部材として説明されるユニットは物理的に分離したものであってもよく物理的に分離したものでなくてもよく、ユニットとして表示される部材は物理ユニットであってもよく物理ユニットでなくてもよく、すなわち、１つの場所に位置してもよく、複数のネットワークユニットに分散してもよい。実際のニーズに応じてその一部又はすべてのユニットを選択して本実施例の技術案の目的を実現できる。
【０２４６】
また、本発明の各実施例による各機能ユニットは１つの処理ユニットに集積されてもよく、各ユニットが個別物理的に存在してもよく、２つ又は２つ以上のユニットが１つのユニットに集積されてもよい。
【０２４７】
出願書類を簡潔かつ明確にするために、上記一実施例の技術的特徴と説明は、ほかの実施例に適用できると理解でき、例えば、方法の実施例の技術的特徴は装置の実施例又はその他方法の実施例に適用でき、ほかの実施例の重複説明を省略する。
【０２４８】
前記機能はソフトウェア機能ユニットの形態で実現され且つ独立した製品で販売又は使用される場合、コンピュータ可読記憶媒体に記憶できる。このような理解に基づき、本発明の技術案は本質的に又は従来技術に貢献する部分又は該技術案の一部はソフトウェア製品の形態で具体化でき、該コンピュータソフトウェア製品は記憶媒体に記憶され、コンピュータ装置（パーソナルコンピュータ、サーバ、又はネットワーク装置等）に本発明の各実施例に係る方法のすべて又は一部のステップを実行させる複数の命令を含む。上記記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスクなどプロクラムコードを記憶できる様々な媒体を含む。
【０２４９】
以上、本発明の実施形態を説明したが、本発明の保護範囲を限定するものではない。当業者が本発明に開示されている技術的範囲を逸脱せずに容易に想到し得る変更や置換はすべて、本発明の保護範囲に属する。従って、本発明の保護範囲は特許請求の範囲の保護範囲に定められる。
【図１】
2019530992.tif 000006
【図２】
2019530992.tif 000007
【図３】
2019530992.tif 000008
【図４】
2019530992.tif 000009
【図５】
2019530992.tif 000010
【図６】
2019530992.tif 000011
【図７】
2019530992.tif 000012
【図８】
2019530992.tif 000013
【図９】
2019530992.tif 000014
【図１０】
2019530992.tif 000015
【図１１】
2019530992.tif 000016
【図１２】
2019530992.tif 000017
【図１３】
2019530992.tif 000018
【手続補正書】
【提出日】平成31年2月4日(2019.2.4)
【手続補正１】
【補正対象書類名】明細書
【補正対象項目名】００１４
【補正方法】変更
【補正の内容】
【００１４】
第１態様の可能な実施形態では、前記レイヤ２ＰＤＵは、前記第１装置と前記第２装置の必要な接続状態を指示するための第２情報を含み、前記第１装置が前記レイヤ２ＰＤＵに基づき、前記第１装置と前記第２装置の必要な接続状態を決定することは、前記第１装置が前記レイヤ２ＰＤＵに含まれる第２情報に基づき、前記第１装置と前記第２装置の必要な接続状態を決定するステップを含む。
【手続補正２】
【補正対象書類名】明細書
【補正対象項目名】００３４
【補正方法】変更
【補正の内容】
【００３４】
第２態様によれば、通信方法を提供し、第２装置が、前記第１装置が前記第１装置と前記第２装置の必要な接続状態を決定するためのレイヤ２プロトコルデータユニットＰＤＵを生成するステップと、前記第２装置が前記第１装置に前記レイヤ２ＰＤＵを送信するステップと、を含む。
【手続補正３】
【補正対象書類名】明細書
【補正対象項目名】００６８
【補正方法】変更
【補正の内容】
【００６８】
第３態様の可能な実施形態では、前記タイマーを起動することは、第２装置が前記第１装置の送信したデータパケット又はシグナリングを受信した後、前記タイマーを起動するステップ、又は前記第２装置が前記データパケット又は前記シグナリングに対応する第２情報を前記第１装置に送信した後、前記タイマーを起動し、前記第２情報が、前記第２装置が前記データパケット又は前記シグナリングを正確に受信することを指示することに用いられるステップ、又は前記第１装置と第２装置の間の無線ベアラの確立が完了した後、前記タイマーを起動するステップを含む。
【手続補正４】
【補正対象書類名】明細書
【補正対象項目名】０１１２
【補正方法】変更
【補正の内容】
【０１１２】
選択的に、一例として、前記レイヤ２ＰＤＵは、前記第１装置と前記第２装置の必要な接続状態を指示するための第２情報を含み、前記第１装置が前記レイヤ２ＰＤＵに基づき、前記第１装置と前記第２装置の必要な接続状態を決定することは、前記第１装置が前記レイヤ２ＰＤＵに含まれる第２情報に基づき、前記第１装置と前記第２装置の必要な接続状態を決定するステップを含む。
【手続補正５】
【補正対象書類名】明細書
【補正対象項目名】０１１９
【補正方法】変更
【補正の内容】
【０１１９】
具体的には、前記第１装置は前記第４情報を含む前記レイヤ２ＰＤＵを受信した後、前記第１タイマーの設定時間長さを取得できる。図４は本発明のさらに別の実施例に係るレイヤ２ＰＤＵの模式図である。ＭＡＣ制御要素の英訳は（ＭＡＣ  Ｃｏｎｔｒｏｌ  Ｅｌｅｍｅｎｔ）であり、図４に示すように、前記レイヤ２ＰＤＵはＭＡＣ  ＰＤＵであり、前記ＭＡＣ  ＰＤＵのテールは前記第４情報をベアラするための指示フィールドを含み、前記指示フィールドの値及び意味は表３に示される。
【手続補正６】
【補正対象書類名】明細書
【補正対象項目名】０１２４
【補正方法】変更
【補正の内容】
【０１２４】
なお、前記第１装置は前記第６情報に基づき、前記第１タイマーを起動できる。換言すれば、第１装置は第２タイマーに設定した設定時間長さに基づき第１タイマーを起動することで、第１装置と第２装置を同時に第１接続状態から第２接続状態に切り替えることができる。
【手続補正７】
【補正対象書類名】明細書
【補正対象項目名】０１３５
【補正方法】変更
【補正の内容】
【０１３５】
図５は本発明の別の実施例に係る通信方法の概略フローチャートであり、図５に示すように、前記通信方法２００は、
Ｓ２１０、第２装置は前記第１装置が前記第１装置と前記第２装置の必要な接続状態を決定するためのレイヤ２ＰＤＵを生成するステップと、
Ｓ２２０、前記第２装置は前記第１装置に前記レイヤ２ＰＤＵを送信するステップと、を含む。
【手続補正８】
【補正対象書類名】明細書
【補正対象項目名】０１７０
【補正方法】変更
【補正の内容】
【０１７０】
選択的に、一例として、前記タイマーを起動することは、前記第１装置は前記第２装置の送信したデータパケット又はシグナリングを受信した後、前記タイマーを起動するステップ、又は前記第１装置は前記データパケット又は前記シグナリングに対応する第２情報を前記第２装置に送信した後、前記タイマーを起動し、前記第２情報は前記第１装置が前記データパケット又は前記シグナリングを正確に受信することを指示することに用いられるステップ、又は前記第１装置は前記第１装置と第２装置の間の無線ベアラの確立が完了した後、タイマーを起動するステップを含む。選択的に、該技術案の実行主体は第２装置であってもよい。
【手続補正９】
【補正対象書類名】明細書
【補正対象項目名】０１８７
【補正方法】変更
【補正の内容】
【０１８７】
図９は本発明のさらに別の実施例に係る通信装置６００の概略ブロック図である。図９に示すように、通信装置６００は、
前記第１装置が前記第１装置と前記第２装置の必要な接続状態を決定するためのレイヤ２プロトコルデータユニットＰＤＵを生成する生成モジュール６１０と、
前記第１装置に前記レイヤ２ＰＤＵを送信する送信モジュール６２０と、を備える。
【手続補正１０】
【補正対象書類名】明細書
【補正対象項目名】０２０２
【補正方法】変更
【補正の内容】
【０２０２】
選択的に、一例として、前記第１処理モジュール７１０は具体的には、第２装置が前記第１装置の送信したデータパケット又はシグナリングを受信した後、前記タイマーを起動し、又は前記第２装置が前記データパケット又は前記シグナリングに対応する第２情報でを前記第１装置に送信した後、前記タイマーを起動し、前記第２情報は前記第２装置が前記データパケット又は前記シグナリングを正確に受信することを指示することに用いられ、又は前記第１装置と第２装置の間の無線ベアラの確立が完了した後、前記タイマーを起動する。
【手続補正１１】
【補正対象書類名】明細書
【補正対象項目名】０２１６
【補正方法】変更
【補正の内容】
【０２１６】
なお、該通信機器８００は本発明の実施例に係る通信方法における第１装置に対応し、且つ該通信機器８００の各モジュール及び上記ほかの操作又は機能はそれぞれ図１〜図６に示される各実施例における第１装置の実行した対応するプロセスを実現し、簡潔にするように、ここで重複説明を省略する。
【手続補正１２】
【補正対象書類名】明細書
【補正対象項目名】０２１７
【補正方法】変更
【補正の内容】
【０２１７】
図１２は本発明のさらに別の実施例に係る通信機器９００の概略ブロック図である。図１２に示すように、該通信機器９００は送受信機９１０、メモリ９２０、プロセッサ９３０及びバスシステム９４０を備える。送受信機９１０、メモリ９２０及びプロセッサ９３０はバスシステム９４０によって接続され、メモリ９２０は命令を記憶し、プロセッサ９３０はメモリ９２０に記憶された命令を実行して、送受信機９１０が信号を送受信するように制御し、
前記プロセッサ９３０は、前記第１装置が前記第１装置と前記第２装置の必要な接続状態を決定するためのレイヤ２プロトコルデータユニットＰＤＵを生成し、前記第１装置に前記レイヤ２ＰＤＵを送信する。
【手続補正１３】
【補正対象書類名】明細書
【補正対象項目名】０２３１
【補正方法】変更
【補正の内容】
【０２３１】
選択的に、一例として、前記プロセッサ１０３０は具体的には、第２装置が前記第１装置の送信したデータパケット又はシグナリングを受信した後、前記タイマーを起動し、又は前記第２装置が前記データパケット又は前記シグナリングに対応する第２情報を前記第１装置に送信した後、前記タイマーを起動し、前記第２情報は前記第２装置が前記データパケット又は前記シグナリングを正確に受信することを指示することに用いられ、又は前記第１装置と第２装置の間の無線ベアラの確立が完了した後、前記タイマーを起動する。
【手続補正１４】
【補正対象書類名】図面
【補正対象項目名】図５
【補正方法】変更
【補正の内容】
【図５】
2019530992.tif 000019
【手続補正１５】
【補正対象書類名】特許請求の範囲
【補正対象項目名】全文
【補正方法】変更
【補正の内容】
【特許請求の範囲】
【請求項１】
第１装置が、第２装置の送信したレイヤ２プロトコルデータユニットＰＤＵを受信するステップと、
前記第１装置が、前記レイヤ２ＰＤＵに基づき、前記第１装置と前記第２装置の必要な接続状態を決定するステップと、を含むことを特徴とする通信方法。
【請求項２】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項１に記載の通信方法。
【請求項３】
前記第１装置が前記レイヤ２ＰＤＵに基づき、前記第１装置と前記第２装置の必要な接続状態を決定することは、
前記第１装置が前記レイヤ２ＰＤＵにデータパケットが含まれるか否か又は前記レイヤ２ＰＤＵに含まれる第１情報に基づき、前記第１装置と前記第２装置の必要な接続状態を決定するステップを含み、前記第１情報は前記第１装置と前記第２装置の間の後続のデータ伝送の有無を指示することに用いられ、
前記第１装置が前記レイヤ２ＰＤＵに含まれる第１情報に基づき、前記第１装置と前記第２装置の必要な接続状態を決定することは、
前記第１情報が前記第１装置と前記第２装置の間の後続のデータ伝送があることを指示する場合、前記第１装置と前記第２装置が第１接続状態にある必要があると決定するステップと、
前記第１情報が前記第１装置と前記第２装置の間の後続のデータ伝送がないことを指示する場合、前記第１装置と前記第２装置が第２接続状態にある必要があると決定するステップと、を含み、
前記第１装置が前記レイヤ２ＰＤＵにデータパケットが含まれるか否かに基づき、前記第１装置と前記第２装置の必要な接続状態を決定することは、
前記レイヤ２ＰＤＵにデータパケットが含まれる場合、前記第１装置と前記第２装置が第１接続状態にある必要があると決定するステップと、
前記レイヤ２ＰＤＵにデータパケットが含まれていない場合、前記第１装置と前記第２装置が第２接続状態にある必要があると決定するステップと、を含むことを特徴とする請求項１又は２に記載の通信方法。
【請求項４】
前記レイヤ２ＰＤＵは、前記第１装置と前記第２装置の必要な接続状態を指示するための第２情報を含み、
前記第１装置が前記レイヤ２ＰＤＵに基づき、前記第１装置と前記第２装置の必要な接続状態を決定することは、
前記第１装置が前記レイヤ２ＰＤＵに含まれる第２情報に基づき、前記第１装置と前記第２装置の必要な接続状態を決定するステップを含むことを特徴とする請求項１又は２に記載の通信方法。
【請求項５】
前記第１装置と前記第２装置は現在第１接続状態にあり、前記第１装置と前記第２装置の必要な接続状態は第２接続状態であり、
前記第１装置が前記レイヤ２ＰＤＵを受信した後、第１タイマーを起動し、又は、前記第１装置が、前記第１装置が前記第２接続状態を開始すると決定することを指示する第３情報を前記第２装置に送信した後、第１タイマーを起動するステップと、
前記第１タイマーがタイムアウトすると、前記第１装置が前記接続状態を前記第１接続状態から前記第２接続状態に切り替えるステップと、をさらに含むことを特徴とする請求項１〜４のいずれか一項に記載の通信方法。
【請求項６】
前記レイヤ２ＰＤＵは前記第１タイマーの設定時間長さを指示するための第４情報を含み、
前記第１タイマーを起動することは、
前記第４情報に基づき、前記第１タイマーを起動するステップを含み、
或いは、
前記レイヤ２ＰＤＵは第２装置の第２タイマーの設定時間長さの取得を要求するための第５情報を含み、
前記通信方法は、
前記第１装置は、前記第２タイマーの設定時間長さを決定するステップと、
前記第１装置は、前記第２タイマーの設定時間長さを指示する第６情報を前記第２装置に送信するステップと、をさらに含み、
前記第１タイマーを起動することは、
前記第１装置は前記第２装置に前記第６情報を送信した後、前記第１タイマーを起動するステップ、又は、
前記第１装置は前記第２装置に前記第６情報を送信し、且つ前記第２装置の送信した、前記第２装置が前記第２接続状態を開始すると決定することを指示する第７情報を受信した後、前記第１タイマーを起動するステップを含むことを特徴とする請求項５に記載の通信方法。
【請求項７】
前記第１装置が第２装置の送信したレイヤ２ＰＤＵを受信した後、
前記第１装置が、前記第１装置が前記レイヤ２ＰＤＵを正確に受信することを指示する第８情報を前記第２装置に送信するステップ、及び／又は
前記第１装置が、前記第１装置と前記第２装置の必要な接続状態を指示する第９情報を前記第２装置に送信するステップをさらに含むことを特徴とする請求項１〜３のいずれか一項に記載の通信方法。
【請求項８】
第２装置が、前記第１装置が前記第１装置と前記第２装置の必要な接続状態を決定するためのレイヤ２プロトコルデータユニットＰＤＵを生成するステップと、
前記第２装置が、前記第１装置に前記レイヤ２ＰＤＵを送信するステップと、を含むことを特徴とする通信方法。
【請求項９】
前記第１装置は端末装置であり、前記第２装置はネットワーク側装置であり、又は、前記第１装置はネットワーク側装置であり、前記第２装置は端末装置であり、
前記第１装置と前記第２装置の必要な接続状態は第１接続状態又は第２接続状態を含み、前記第１接続状態は前記端末装置がアクティブ状態にある時の前記端末装置と前記ネットワーク側装置の接続状態であり、前記第２接続状態は前記端末装置が非アクティブ状態にある時の前記端末装置と前記ネットワーク側装置の接続状態であることを特徴とする請求項８に記載の通信方法。
【請求項１０】
前記第２装置がレイヤ２ＰＤＵを生成することは、
前記第２装置が前記第１装置と前記第２装置の間で現在データパケット伝送を行っているか否か及び／又は前記第１装置と前記第２装置の間の後続のデータ伝送の有無に基づき、前記レイヤ２ＰＤＵを生成するステップを含み、
前記第２装置は前記第１装置と前記第２装置の間で現在データパケット伝送を行っているか否か及び／又は前記第１装置と前記第２装置の間の後続のデータ伝送の有無に基づき、前記レイヤ２ＰＤＵを生成することは、
前記第１装置と前記第２装置の間で現在データパケット伝送を行っている場合、前記第２装置は前記データパケットを含む前記レイヤ２ＰＤＵを生成するステップと、
前記第１装置と前記第２装置の間で現在データパケット伝送を行っていない場合、前記第２装置はデータパケットを含まない前記レイヤ２ＰＤＵを生成するステップと、
前記第１装置と前記第２装置の間の後続のデータ伝送がない場合、前記第２装置は前記第１装置と前記第２装置の間の後続のデータ伝送がないことを指示するための第１情報を含む前記レイヤ２ＰＤＵを生成するステップと、
前記第１装置と前記第２装置の間の後続のデータ伝送がある場合、前記第２装置は前記第１装置と前記第２装置の間の後続のデータ伝送があることを指示するための第１情報を含む前記レイヤ２ＰＤＵを生成するステップと、を含むことを特徴とする請求項８又は９に記載の通信方法。
【請求項１１】
前記第２装置が前記第１装置と前記第２装置の必要な接続状態を決定するステップをさらに含み、
前記第２装置がレイヤ２ＰＤＵを生成することは、
前記第２装置が前記第１装置と前記第２装置の必要な接続状態を指示するための第２情報を含む前記レイヤ２ＰＤＵを生成するステップを含むことを特徴とする請求項８又は９に記載の通信方法。
【請求項１２】
前記第１装置と前記第２装置は現在第１接続状態にあり、前記第１装置と前記第２装置の必要な接続状態は第２接続状態であり、
前記第２装置が前記第１装置に前記レイヤ２ＰＤＵを送信した後、第２タイマーを起動し、又は、前記第２装置が前記第１装置の送信した、前記第１装置が前記第２接続状態を開始すると決定することを指示する第３情報を受信した後、第２タイマーを起動するステップと、
前記第２タイマーがタイムアウトすると、前記第２装置が前記接続状態を前記第１接続状態から前記第２接続状態に切り替えるステップと、をさらに含むことを特徴とする請求項８〜１１のいずれか一項に記載の方法。
【請求項１３】
前記第２装置がレイヤ２ＰＤＵを生成することは、
前記第２装置が前記第１装置の第１タイマーの設定時間長さを指示するための第４情報を含む前記レイヤ２ＰＤＵを生成し、それにより前記第１装置は前記第４情報に基づき前記第１タイマーを起動するステップを含み、
或いは、
前記第２装置がレイヤ２ＰＤＵを生成することは、
前記第２装置は前記第２タイマーの設定時間長さの取得を要求するための第５情報を含む前記レイヤ２ＰＤＵを生成するステップを含み、
前記通信方法は、
前記第２装置は前記第１装置の送信した、前記第２タイマーの設定時間長さを指示する第６情報を受信するステップをさらに含み、
前記第２タイマーを起動することは、
前記第２装置は前記第１装置の送信した前記第６情報を受信した後、前記第６情報に基づき前記第２タイマーを起動するステップ、又は
前記第２装置は前記第１装置の送信した前記第６情報を受信し、且つ前記第２装置が前記第２接続状態を開始すると決定することを指示する第７情報を前記第１装置に送信した後、前記第６情報に基づき前記第２タイマーを起動するステップを含む請求項１２に記載の通信方法。
【請求項１４】
前記第２装置が前記第１装置に前記レイヤ２ＰＤＵを送信した後、
前記第２装置が前記第１装置の送信した、前記第１装置が前記レイヤ２ＰＤＵを正確に受信することを指示する第８情報を受信するステップ、又は、
前記第２装置が前記第１装置の送信した、前記第１装置と前記第２装置の必要な接続状態を指示する第９情報を受信するステップをさらに含むことを特徴とする請求項８〜１０のいずれか一項に記載の通信方法。
【請求項１５】
送受信機、メモリ、プロセッサ及びバスシステムを備え、
送受信機、メモリ及びプロセッサはバスシステムによって接続され、メモリは命令を記憶し、プロセッサはメモリに記憶された命令を実行し、送受信機が信号を送受信するように制御し、且つプロセッサがメモリに記憶された命令を実行する時、プロセッサは請求項１〜７又は８〜１４のいずれか一項に記載の方法を実行することを特徴とする通信機器。
【国際調査報告】
2019530992.tif 000020
2019530992.tif 000021
2019530992.tif 000022
2019530992.tif 000023